(57)【要約】【課題】部屋の入退室を、利用者の入退室状況に応じて管理可能として、室内に備えられた電子機器や備品に関するセキュリティを確保できるようにした入退室管理システム等を提供する。【解決手段】従ＩＣカードの所持者が部屋に入室する際には、入退室管理装置５が、照合手段５３によって第１の照合による照合条件を照合する。すなわち、従ＩＣカードの所持者が部屋に入室する際に、従ＩＣカードから読み取る情報と入退室履歴情報データベース５６が保持する情報とを基に、主従関係にある主ＩＣカードの所持者が入室しているかどうかを照合する。また、主ＩＣカードの所持者が部屋を退室する際には、照合手段５３によって第２の照合による第１の照合条件を照合する。すなわち、主ＩＣカードから読み取る情報と入退室履歴情報データベース５６が保持する情報とを基に、主従関係にある従ＩＣカードの所持者が全て退室しているかどうかを照合する。【選択図】図３
2008052716.tif 000002
【特許請求の範囲】
【請求項１】
入退室が管理された部屋に単独で入室できる者に配布される主ＩＣカードと、主従関係にある前記主ＩＣカードの所持者が前記部屋に入室している場合に入室できる者に配布される従ＩＣカードと、前記主ＩＣカードまたは前記従ＩＣカードに記憶された情報を読み取って、入退室の際に通過するゲートの開閉状態を制御する入退室管理装置と、により構成された入退室管理システムであって、
前記主ＩＣカードは前記主ＩＣカードの所持者に係る主の固有情報を記憶し、
前記従ＩＣカードは前記従ＩＣカードの所持者に係る従の固有情報を記憶し、
前記主ＩＣカードが主従関係にある前記従の固有情報を記憶し、および／または前記従ＩＣカードが主従関係にある前記主の固有情報を記憶するものであり、
前記入退室管理装置は、
前記主ＩＣカードまたは前記従ＩＣカードから読み取る前記主の固有情報、および／または前記従の固有情報を入退室状況情報として保持する入退室履歴情報データベースと、
前記従ＩＣカードの所持者が前記部屋に入室する際に、前記従ＩＣカードから読み取る情報と前記入退室状況情報とを基に、主従関係にある前記主ＩＣカードの所持者が入室しているかどうかを照合する第１の照合手段と、
を具備することを特徴とする入退室管理システム。
【請求項２】
前記入退室管理装置は、
前記主ＩＣカードの所持者が前記部屋を退室する際に、前記主ＩＣカードから読み取る情報と前記入退室状況情報とを基に、主従関係にある前記従ＩＣカードの所持者が全て退室しているかどうかを照合する第２の照合手段、
を更に具備することを特徴とする請求項１に記載の入退室管理システム。
【請求項３】
前記入退室管理装置が具備する前記第２の照合手段は、主従関係にある前記従ＩＣカードの所持者が退室していない場合、更に、退室していない前記従ＩＣカードの所持者と主従関係にあり、かつ退室を試みている者と異なる前記主ＩＣカードの所持者が、入室しているかどうかを照合することを特徴とする請求項２に記載の入退室管理システム。
【請求項４】
入退室が管理された部屋に単独で入室できる者に配布される主ＩＣカードと、主従関係にある前記主ＩＣカードの所持者が前記部屋に入室している場合に入室できる者に配布される従ＩＣカードと、前記主ＩＣカードまたは前記従ＩＣカードに記憶された情報を読み取って、入退室の際に通過するゲートの開閉状態を制御する入退室管理装置と、により構成された入退室管理システムであって、
前記主ＩＣカードは前記主ＩＣカードの所持者に係る主の固有情報を記憶し、
前記従ＩＣカードは前記従ＩＣカードの所持者に係る従の固有情報を記憶し、
前記入退室管理装置は、
前記主ＩＣカードまたは前記従ＩＣカードから読み取る前記主の固有情報、および／または前記従の固有情報を入退室状況情報として保持し、かつ主従関係にある前記主の固有情報と前記従の固有情報との関係を主従関係情報として保持する入退室履歴情報データベースと、
前記従ＩＣカードの所持者が前記部屋に入室する際に、前記従ＩＣカードから読み取る情報と前記入退室状況情報と前記主従関係情報とを基に、主従関係にある前記主ＩＣカードの所持者が入室しているかどうかを照合する第１の照合手段と、
を具備することを特徴とする入退室管理システム。
【請求項５】
前記入退室管理装置は、
前記主ＩＣカードの所持者が前記部屋を退室する際に、前記主ＩＣカードから読み取る情報と前記入退室状況情報と前記主従関係情報とを基に、主従関係にある前記従ＩＣカードの所持者が全て退室しているかどうかを照合する第２の照合手段、
を更に具備することを特徴とする請求項４に記載の入退室管理システム。
【請求項６】
前記入退室管理装置が具備する前記第２の照合手段は、主従関係にある前記従ＩＣカードの所持者が退室していない場合、更に、退室していない前記従ＩＣカードの所持者と主従関係にあり、かつ退室を試みている者と異なる前記主ＩＣカードの所持者が、入室しているかどうかを照合することを特徴とする請求項５に記載の入退室管理システム。
【請求項７】
前記主の固有情報および前記従の固有情報は、少なくとも、前記主ＩＣカードまたは前記従ＩＣカードの所持者を特定する情報、前記主ＩＣカードまたは前記従ＩＣカードの所持者の属性情報、前記主ＩＣカードまたは前記従ＩＣカードの所持者が行う業務に関する情報のいずれか１つを含むものであることを特徴とする請求項１から請求項６までのいずれかに記載の入退室管理システム。
【請求項８】
前記部屋に到達するまでに必ず通過する場所に設置されたＩＣカード認証ゲートを更に具備し、
前記ＩＣカード認証ゲートは、
前記主の固有情報、および／または前記従の固有情報を書き換える手段、
を具備することを特徴とする請求項１から請求項７までのいずれかに記載の入退室管理システム。
【請求項９】
入退室が管理された部屋に設置され、ＩＣカードに記憶された情報を読み取って、入退室の際に通過するゲートの開閉状態を制御する入退室管理装置であって、
前記ＩＣカードから読み取る情報であって、前記部屋に単独で入室できる第１の者に係る主の固有情報、および／または主従関係にある前記第１の者が前記部屋に入室している場合に入室できる第２の者に係る従の固有情報を入退室状況情報として保持する入退室履歴情報データベースと、
前記第２の者が入室する際に、前記第２の者が所持する前記ＩＣカードから読み取る情報と前記入退室状況情報とを基に、主従関係にある前記第１の者が入室しているかどうかを照合する第１の照合手段と、
を具備することを特徴とする入退室管理装置。
【請求項１０】
前記第１の者が退室する際に、前記第１の者が所持する前記ＩＣカードから読み取る情報と前記入退室状況情報とを基に、主従関係にある前記第２の者が全て退室しているかどうかを照合する第２の照合手段、
を更に具備することを特徴とする請求項９に記載の入退室管理装置。
【請求項１１】
前記第２の照合手段は、主従関係にある前記第２の者が退室していない場合、更に、退室していない前記第２の者と主従関係にあり、かつ退室を試みている者と異なる前記第１の者が、入室しているかどうかを照合することを特徴とする請求項１０に記載の入退室管理装置。
【請求項１２】
入退室が管理された部屋に設置され、ＩＣカードに記憶された情報を読み取って、入退室の際に通過するゲートの開閉状態を制御する入退室管理装置であって、
前記ＩＣカードから読み取る情報であって、前記部屋に単独で入室できる第１の者に係る主の固有情報、および／または主従関係にある前記第１の者が前記部屋に入室している場合に入室できる第２の者に係る従の固有情報を入退室状況情報として保持し、かつ主従関係にある前記主の固有情報と前記従の固有情報との関係を主従関係情報として保持する入退室履歴情報データベースと、
前記第２の者が入室する際に、前記第２の者が所持する前記ＩＣカードから読み取る情報と前記入退室状況情報と前記主従関係情報とを基に、主従関係にある前記第１の者が入室しているかどうかを照合する第１の照合手段と、
を具備することを特徴とする入退室管理装置。
【請求項１３】
前記第１の者が退室する際に、前記第１の者が所持する前記ＩＣカードから読み取る情報と前記入退室状況情報と前記主従関係情報とを基に、主従関係にある前記第２の者が全て退室しているかどうかを照合する第２の照合手段、
を更に具備することを特徴とする請求項１２に記載の入退室管理装置。
【請求項１４】
前記第２の照合手段は、主従関係にある前記第２の者が退室していない場合、更に、退室していない前記第２の者と主従関係にあり、かつ退室を試みている者と異なる前記第１の者が、入室しているかどうかを照合することを特徴とする請求項１３に記載の入退室管理装置。
【請求項１５】
入退室が管理された部屋に単独で入室できる者に配布される主ＩＣカードと、主従関係にある前記主ＩＣカードの所持者が前記部屋に入室している場合に入室できる者に配布される従ＩＣカードと、前記主ＩＣカードまたは前記従ＩＣカードに記憶された情報を読み取って、入退室の際に通過するゲートの開閉状態を制御する入退室管理装置と、前記入退室管理装置と通信可能に接続されたサーバと、により構成された入退室管理システムであって、
前記主ＩＣカードは前記主ＩＣカードの所持者に係る主の固有情報を記憶し、
前記従ＩＣカードは前記従ＩＣカードの所持者に係る従の固有情報を記憶し、
前記主ＩＣカードが主従関係にある前記従の固有情報を記憶し、および／または前記従ＩＣカードが主従関係にある前記主の固有情報を記憶するものであり、
前記入退室管理装置は、
前記主ＩＣカードまたは前記従ＩＣカードから読み取る前記主の固有情報、および／または前記従の固有情報を前記サーバに送信する手段、
を有し、
前記サーバは、
前記入退室管理装置から送信される前記主の固有情報、および／または、前記従の固有情報を入退室状況情報として保持する入退室履歴情報データベースと、
前記従ＩＣカードの所持者が前記部屋に入室する際に、前記従ＩＣカードから読み取る情報と前記入退室状況情報とを基に、主従関係にある前記主ＩＣカードの所持者が入室しているかどうかを照合する第１の照合手段と、
照合の結果に基づいて、前記入退室管理装置に対して、前記ゲートを開かせるための指示情報を送信する手段と、
を具備することを特徴とする入退室管理システム。
【請求項１６】
前記サーバは、
前記主ＩＣカードの所持者が前記部屋を退室する際に、前記主ＩＣカードから読み取る情報と前記入退室状況情報とを基に、主従関係にある前記従ＩＣカードの所持者が全て退室しているかどうかを照合する第２の照合手段、
を更に具備することを特徴とする請求項１５に記載の入退室管理システム。
【請求項１７】
前記サーバが具備する前記第２の照合手段は、主従関係にある前記従ＩＣカードの所持者が退室していない場合、更に、退室していない前記従ＩＣカードの所持者と主従関係にあり、かつ退室を試みている者と異なる前記主ＩＣカードの所持者が、入室しているかどうかを照合することを特徴とする請求項１６に記載の入退室管理システム。
【請求項１８】
入退室が管理された部屋に単独で入室できる者に配布される主ＩＣカードと、主従関係にある前記主ＩＣカードの所持者が前記部屋に入室している場合に入室できる者に配布される従ＩＣカードと、前記主ＩＣカードまたは前記従ＩＣカードに記憶された情報を読み取って、入退室の際に通過するゲートの開閉状態を制御する入退室管理装置と、前記入退室管理装置と通信可能に接続されたサーバと、により構成された入退室管理システムであって、
前記主ＩＣカードは前記主ＩＣカードの所持者に係る主の固有情報を記憶し、
前記従ＩＣカードは前記従ＩＣカードの所持者に係る従の固有情報を記憶し、
前記入退室管理装置は、
前記主ＩＣカードまたは前記従ＩＣカードから読み取る前記主の固有情報、および／または前記従の固有情報を前記サーバに送信する手段、
を有し、
前記サーバは、
前記入退室管理装置から送信される前記主の固有情報、および／または、前記従の固有情報を入退室状況情報として保持し、かつ主従関係にある前記主の固有情報と前記従の固有情報との関係を主従関係情報として保持する入退室履歴情報データベースと、
前記従ＩＣカードの所持者が前記部屋に入室する際に、前記従ＩＣカードから読み取る情報と前記入退室状況情報と前記主従関係情報とを基に、主従関係にある前記主ＩＣカードの所持者が入室しているかどうかを照合する第１の照合手段と、
照合の結果に基づいて、前記入退室管理装置に対して、前記ゲートを開かせるための指示情報を送信する手段と、
を具備することを特徴とする入退室管理システム。
【請求項１９】
前記サーバは、
前記主ＩＣカードの所持者が前記部屋を退室する際に、前記主ＩＣカードから読み取る情報と前記入退室状況情報と前記主従関係情報とを基に、主従関係にある前記従ＩＣカードの所持者が全て退室しているかどうかを照合する第２の照合手段、
を更に具備することを特徴とする請求項１８に記載の入退室管理システム。
【請求項２０】
前記サーバが具備する前記第２の照合手段は、主従関係にある前記従ＩＣカードの所持者が退室していない場合、更に、退室していない前記従ＩＣカードの所持者と主従関係にあり、かつ退室を試みている者と異なる前記主ＩＣカードの所持者が、入室しているかどうかを照合することを特徴とする請求項１９に記載の入退室管理システム。
【請求項２１】
前記主の固有情報および前記従の固有情報は、少なくとも、前記主ＩＣカードまたは前記従ＩＣカードの所持者を特定する情報、前記主ＩＣカードまたは前記従ＩＣカードの所持者の属性情報、前記主ＩＣカードまたは前記従ＩＣカードの所持者が行う業務に関する情報のいずれか１つを含むものであることを特徴とする請求項１５から請求項２０までのいずれかに記載の入退室管理システム。
【請求項２２】
前記部屋に到達するまでに必ず通過する場所に設置されたＩＣカード認証ゲートを更に具備し、
前記ＩＣカード認証ゲートは、
前記主の固有情報、および／または前記従の固有情報を書き換える手段、
を具備することを特徴とする請求項１５から請求項２１までのいずれかに記載の入退室管理システム。
【発明の詳細な説明】
【技術分野】
【０００１】
本発明は、入退室が管理された部屋において、部屋の利用者の立場に応じて、入室する際の条件や部屋から退出する際の条件を設定して、入退室の管理を行うことができる入退室管理システム、入退室管理装置およびサーバに関する。
【背景技術】
【０００２】
従来、会議室、事務室、研究室などの部屋の利用者が、それらの部屋に入室する際に、カードなどの情報記憶媒体に記憶された情報に基づいて照合処理を行って、照合一致した場合に施錠を開錠させたり、また、予め利用者の指紋などの生体情報を登録させておき、部屋の利用者に本人の身体から読み取った生体情報と予め登録されている生体情報とを照合処理して、照合一致した場合に施錠を開錠させたりすることで、不審者の入室を防止できるようにした管理システムが既に知られている（例えば、特許文献１、２、３を参照）。
【特許文献１】特開昭６３−２０４３８８号公報
【特許文献２】特開平１−１６３８９０号公報
【特許文献３】特開平４−１８５８７９号公報
【０００３】
これら従来の入退室管理システムでは、部屋の利用者本人について、予め登録された照合用の情報との照合処理を行うことで、その部屋に入室する権限を有しているのかの判定を行うものである。
【発明の開示】
【発明が解決しようとする課題】
【０００４】
しかしながら、実際に１つの部屋が利用される場合には、その部屋の利用者のメンバー構成により様々な状況が想定され、セキュリティ効果を高める上で部屋の利用者のメンバー構成に応じた入退室管理が必要になってくる。
【０００５】
例えば、ある会社において、外部から訪れた訪問者を会議室や事務室などの部屋に入室させて、打ち合わせなどを行う場合に、その部屋に備えられているパソコンなどの電子機器や各種の備品、または、書類や書籍などが、その訪問者によって不正に使用されたり、盗まれたりすることを予防するために、訪問者だけが室内に存在する状況を作らないようにしてセキュリティを確保する必要がある場合がある。
また、他の例として、入室が管理された部屋で複数のアルバイト従業員が仕事を行う場合に、そのアルバイト従業員の勤務状態を管理する管理社員は、アルバイト従業員による不正行為を予防するために、アルバイト従業員だけが室内に存在する状況を作らないようにしてセキュリティを確保する必要がある場合がある。
これら上記の場合には、部屋の利用者のメンバー構成によって、その部屋を利用する責任者が、自分勝手に入退室を行えないようにして、他の利用者メンバーの入退室状況に応じて入退室の管理を行うことで、セキュリティを確保する必要がある。
【０００６】
すなわち、従来の入退室管理システムでは、部屋の利用者のメンバー構成に関係なく、予め登録された照合用情報に基づいて入退室の管理が行われているので、きめ細かな管理ができず、室内に備えられた電子機器や備品に関するセキュリティを確保することができないという問題がある。
【０００７】
本発明は、前述した問題点に鑑みてなされたもので、その目的は、部屋の入退室を、その部屋の利用者メンバーの入退室状況に応じて管理可能として、室内に備えられた電子機器や備品に関するセキュリティを確保できるようにした入退室管理システム等を提供することである。
【課題を解決するための手段】
【０００８】
前述した目的を達成するために第１の発明は、入退室が管理された部屋に単独で入室できる者に配布される主ＩＣカードと、主従関係にある前記主ＩＣカードの所持者が前記部屋に入室している場合に入室できる者に配布される従ＩＣカードと、前記主ＩＣカードまたは前記従ＩＣカードに記憶された情報を読み取って、入退室の際に通過するゲートの開閉状態を制御する入退室管理装置と、により構成された入退室管理システムであって、前記主ＩＣカードは前記主ＩＣカードの所持者に係る主の固有情報を記憶し、前記従ＩＣカードは前記従ＩＣカードの所持者に係る従の固有情報を記憶し、前記主ＩＣカードが主従関係にある前記従の固有情報を記憶し、および／または前記従ＩＣカードが主従関係にある前記主の固有情報を記憶するものであり、前記入退室管理装置は、前記主ＩＣカードまたは前記従ＩＣカードから読み取る前記主の固有情報、および／または前記従の固有情報を入退室状況情報として保持する入退室履歴情報データベースと、前記従ＩＣカードの所持者が前記部屋に入室する際に、前記従ＩＣカードから読み取る情報と前記入退室状況情報とを基に、主従関係にある前記主ＩＣカードの所持者が入室しているかどうかを照合する第１の照合手段と、を具備することを特徴とする入退室管理システムである。
【０００９】
第１の発明における入退室管理装置は、前記主ＩＣカードの所持者が前記部屋を退室する際に、前記主ＩＣカードから読み取る情報と前記入退室状況情報とを基に、主従関係にある前記従ＩＣカードの所持者が全て退室しているかどうかを照合する第２の照合手段、を更に具備することが望ましい。
また、入退室管理装置が具備する前記第２の照合手段は、主従関係にある前記従ＩＣカードの所持者が退室していない場合、更に、退室していない前記従ＩＣカードの所持者と主従関係にあり、かつ退室を試みている者と異なる前記主ＩＣカードの所持者が、入室しているかどうかを照合するようにしても良い。
【００１０】
第２の発明は、入退室が管理された部屋に設置され、ＩＣカードに記憶された情報を読み取って、入退室の際に通過するゲートの開閉状態を制御する入退室管理装置であって、前記ＩＣカードから読み取る情報であって、前記部屋に単独で入室できる第１の者に係る主の固有情報、および／または主従関係にある前記第１の者が前記部屋に入室している場合に入室できる第２の者に係る従の固有情報を入退室状況情報として保持する入退室履歴情報データベースと、前記第２の者が入室する際に、前記第２の者が所持する前記ＩＣカードから読み取る情報と前記入退室状況情報とを基に、主従関係にある前記第１の者が入室しているかどうかを照合する第１の照合手段と、を具備することを特徴とする入退室管理装置である。
第１の者とは、例えば、社員である。また、第２の者とは、例えば、社外からの訪問者やアルバイト従業員である。
【００１１】
第２の発明における入退室管理装置は、前記第１の者が退室する際に、前記第１の者が所持する前記ＩＣカードから読み取る情報と前記入退室状況情報とを基に、主従関係にある前記第２の者が全て退室しているかどうかを照合する第２の照合手段、を更に具備することが望ましい。
また、入退室管理装置が具備する前記第２の照合手段は、主従関係にある前記第２の者が退室していない場合、更に、退室していない前記第２の者と主従関係にあり、かつ退室を試みている者と異なる前記第１の者が、入室しているかどうかを照合するものであっても良い。
【００１２】
第３の発明は、入退室が管理された部屋に単独で入室できる者に配布される主ＩＣカードと、主従関係にある前記主ＩＣカードの所持者が前記部屋に入室している場合に入室できる者に配布される従ＩＣカードと、前記主ＩＣカードまたは前記従ＩＣカードに記憶された情報を読み取って、入退室の際に通過するゲートの開閉状態を制御する入退室管理装置と、前記入退室管理装置と通信可能に接続されたサーバと、により構成された入退室管理システムであって、前記主ＩＣカードは前記主ＩＣカードの所持者に係る主の固有情報を記憶し、前記従ＩＣカードは前記従ＩＣカードの所持者に係る従の固有情報を記憶し、前記主ＩＣカードが主従関係にある前記従の固有情報を記憶し、および／または前記従ＩＣカードが主従関係にある前記主の固有情報を記憶するものであり、前記入退室管理装置は、前記主ＩＣカードまたは前記従ＩＣカードから読み取る前記主の固有情報、および／または前記従の固有情報を前記サーバに送信する手段、を有し、前記サーバは、前記入退室管理装置から送信される前記主の固有情報、および／または、前記従の固有情報を入退室状況情報として保持する入退室履歴情報データベースと、前記従ＩＣカードの所持者が前記部屋に入室する際に、前記従ＩＣカードから読み取る情報と前記入退室状況情報とを基に、主従関係にある前記主ＩＣカードの所持者が入室しているかどうかを照合する第１の照合手段と、照合の結果に基づいて、前記入退室管理装置に対して、前記ゲートを開かせるための指示情報を送信する手段と、を具備することを特徴とする入退室管理システムである。
【００１３】
第３の発明におけるサーバは、前記主ＩＣカードの所持者が前記部屋を退室する際に、前記主ＩＣカードから読み取る情報と前記入退室状況情報とを基に、主従関係にある前記従ＩＣカードの所持者が全て退室しているかどうかを照合する第２の照合手段、を更に具備することが望ましい。
また、サーバが具備する前記第２の照合手段は、主従関係にある前記従ＩＣカードの所持者が退室していない場合、更に、退室していない前記従ＩＣカードの所持者と主従関係にあり、かつ退室を試みている者と異なる前記主ＩＣカードの所持者が、入室しているかどうかを照合するものであっても良い。
【発明の効果】
【００１４】
本発明により、部屋の入退室を、その部屋の利用者メンバーの入退室状況に応じて管理可能として、室内に備えられた電子機器や備品に関するセキュリティを確保できるようにした入退室管理システム等を提供することができる。
【００１５】
特に、本発明の入退室管理システムは、入退室履歴情報データベースの入退室状況情報に、主ＩＣカードを所持する社員など、その部屋の管理的な立場にある者が入室したことが登録されていなければ、訪問者やアルバイト従業員などの従ＩＣカードの所持者が入室できないように管理されているので、従ＩＣカードの所持者が入室した際には、必ず社員などの主ＩＣカードを所持する者が室内に存在するので、室内に備えられた電子機器や備品に関するセキュリティを確保できるという効果がある。
【００１６】
また、本発明の入退室管理システムは、入退室履歴情報データベースの入退室状況情報を参照し、訪問者やアルバイト従業員などの従ＩＣカードの所持者が退室していない場合には、主ＩＣカードを所持する社員など、その部屋の管理的な立場にある者が退室できないように管理されているので、従ＩＣカードの所持者だけが室内に存在するという状況を回避することができるので、室内に備えられた電子機器や備品に関するセキュリティを確保できるという効果がある。
【発明を実施するための最良の形態】
【００１７】
まず、図面に基づいて、第１の実施の形態を詳細に説明する。
【００１８】
図１は、第１の実施の形態に係る入退室管理システム１の概要を示す図である。
図１に示すように、入退室管理システム１は、ＩＣカード４、入退室管理装置５、フラッパーゲート７等で構成される。ここで、フラッパーゲート７とは、入退場口に設置され、ＩＣカード４の認証結果によって自らのゲートの開閉を制御する装置である。
【００１９】
ＩＣカード４は、部屋２の利用者３が所持し、その利用者３ごとの立場に応じて２種類のものが存在する。
まず、１種類目のＩＣカード４は、部屋２に単独で入室できる者に配布されるもの（以下、「主ＩＣカード４ａ」という。）である。主ＩＣカード４ａは、例えば会社などで外部から訪問者が来社してくる場合に、その訪問者を受け入れる側の担当者などが保持する。担当者等は、予め訪問者と打ち合わせを行う会議室を予約して用意する。つまり、主ＩＣカード４ａを所持する者は、打ち合わせや会議などで一緒に部屋２の利用を行う利用者３の中で、その部屋２に先に入室すると共に、打ち合わせや会議などが終了した場合に、主従関係にある利用者３が全て退室した後に退室することで、室内に備えられた電子機器や備品に関するセキュリティを保護する役目を担う者である。
【００２０】
次に、２種類目のＩＣカード４は、主従関係にある主ＩＣカード４ａの所持者が部屋２に入室している場合に入室できる者に配布されるもの（以下、「従ＩＣカード４ｂ」という。）である。従ＩＣカード４ｂは、例えば会社などで外部から訪問者などに受付などで配布される。従ＩＣカード４ｂの所持者は、予定された会議室に入室する場合でも、面会する会社側の担当者が主ＩＣカード４ａを使用して、既に入室している場合にだけ、従ＩＣカード４ｂを使用して入室が行えるようになっている。これにより、訪問者が入室する際には、単独での入室はできず、必ず先に主従関係にある主ＩＣカード４ａの所持者が入室していることになる。
以下では、主ＩＣカード４ａと従ＩＣカード４ｂの両方を意味するときは、「ＩＣカード４」と記載する。尚、ＩＣカード４は、接触式、または非接触式のいずれであっても良い。
【００２１】
入退室管理装置５は、ＩＣカード４に記憶された情報を読み取って、入退室の際に通過するゲート６の開閉状態を制御する。部屋２の入口近傍および出口近傍には、ＩＣカード４に記憶された情報を読み取る機器、例えばＩＣカードリーダライタ等が設置される。また、部屋２の出入口には、自動的に開閉を行うゲート６が備えられており、ゲート６の開閉は入退室管理装置５によって制御される。
【００２２】
ＩＣカード認証ゲートとしてのフラッパーゲート７は、利用者３が部屋２に到達するまでに必ず通過する場所に設置される。フラッパーゲート７は、例えば、入退室管理システム１を会社で実施する場合、会社の建物の玄関等に設置される入退社管理用のＩＣカード認証ゲート等である。ここで、フラッパーゲート７を通過する利用者３は、社員やアルバイト従業員、社外からの訪問者等である。また、入退室管理システム１を実施する上で、必ずしもフラッパーゲート７が必要というわけではない。
【００２３】
入退室管理システム１では、前述のように、従ＩＣカード４ｂの所持者が入室する条件として、主ＩＣカード４ａの所持者が先に入室していることが必要になってくる。
また、入退室管理システム１では、会議などが終了した後において、複数の利用者３が部屋２から退室する場合には、入室時とは逆に、主従関係にある従ＩＣカード４ｂの所持者が全て退室した後でなければ、主ＩＣカード４ａの所持者は退室することができないようにしてある。つまり、利用した部屋２には、従ＩＣカード４ｂの所持者だけが在室している状態にならないように、必ず最後まで主ＩＣカード４ａの所持者が在室して、室内に備えられた電子機器や備品に関する不正行為や盗難などを予防できるようになっている。
【００２４】
尚、主従関係とは、主ＩＣカード４ａの所持者を主、従ＩＣカード４ｂの所持者を従とした人と人との関係を指す。例えば、社員と当該社員が担当する訪問者、または社員と当該社員が管理するアルバイト従業員等である。但し、以下の説明においては、コンピュータや各種装置等が保持するデータ自体の関係を指す場合もある。
【００２５】
次に、図２に基づいて、入退室管理システム１のハードウェア構成について説明する。図２は、入退室管理システム１を構成する装置のハードウェア構成を示す図である。
【００２６】
図２に示すように、ＩＣカード４は、記憶部１１、送受信部１２、制御部１３等で構成される。記憶部１１は、ＩＣカードリーダライタ等によって書き込まれるデータ等を記憶する。記憶部１１では、図５の説明にて後述する情報を記憶する。送受信部１２は、ＩＣカードリーダライタ等とデータの送受信を行う。制御部１１は、ＩＣカード４全体を駆動制御する。
【００２７】
入退室管理装置５は、記憶部２１、送受信部２２、ゲート開閉制御部２３、通信部２４、制御部２５等で構成される。記憶部２１は、制御部２５が実行するプログラム、及びプログラムに必要なデータ等を記憶する。送受信部２２は、部屋２の入口近傍及び出口近傍の両方に設置され、ＩＣカード４等とデータの送受信を行う。ゲート開閉制御部２３は、制御部２５からの指示に基づいて、ゲート６の開閉状態を制御する。通信部２４は、ネットワーク９を介して、他の機器やコンピュータ等と通信を行う。制御部２５は、記憶部２１に記憶されるプログラムを呼び出して実行し、入退室管理装置５を構成する各装置を駆動制御する。
入退室管理装置５は、例えば、ゲート６の入退場用のＩＣカードリーダライタであっても良いし、送受信部２２の機能のみを持つＩＣカードリーダライタと、他の装置やコンピュータ等と、を組み合わせて構成されるものであっても良い。
尚、通信部２４は、第１の実施の形態においては必須ではない。
【００２８】
フラッパーゲート７は、記憶部３１、送受信部３２、ゲート開閉制御部３３、通信部３４、制御部３５等で構成される。記憶部３１は、制御部３５が実行するプログラム、及びプログラムに必要なデータ等を記憶する。送受信部３２は、ＩＣカード４等とデータの送受信を行う。ゲート開閉制御部３３は、制御部３５からの指示に基づいて、自らのゲートの開閉状態を制御する。通信部３４は、ネットワーク９を介して、他の装置やコンピュータ等と通信を行う。制御部３５は、記憶部３１に記憶されるプログラムを呼び出して実行し、フラッパーゲート７を構成する各装置を駆動制御する。
【００２９】
次に、図３、図４に基づいて、入退室管理システム１のソフトウェア構成について説明する。
【００３０】
図３は、入退室管理装置５の機能の概要を示すブロック図である。
図３に示すように、入退室管理装置５は、ＩＣカード読み取り手段５１、ＩＣカード認証手段５２、照合手段５３、データベース更新手段５４、ゲート開閉指示手段５５、入退室履歴情報データベース５６等を備える。
【００３１】
ＩＣカード読み取り手段５１は、ＩＣカード４の記憶部１１に記憶されている情報を送受信部２２によって読み取る。ＩＣカード認証手段５２は、ＩＣカード４から読み取る情報に基づいて、正規の手続きによって発行されたものであるか、または有効期限が切れていないか等、通常の認証処理を行う。
【００３２】
照合手段５３は、ＩＣカード４から読み取る情報と入退室履歴情報データベース５６が保持する情報とを基に、予め定められた照合条件を満たすかどうかの照合処理を行う。
特に、第１の照合手段は、従ＩＣカード４ｂの所持者が部屋２に入室する際に、従ＩＣカード４ｂから読み取る情報と入退室履歴情報データベース５６が保持する情報とを基に、主従関係にある主ＩＣカード４ａの所持者が入室しているかどうかを照合する。
また、特に、第２の照合手段は、主ＩＣカード４ａの所持者が部屋２を退室する際に、主ＩＣカード４ａから読み取る情報と入退室履歴情報データベース５６が保持する情報とを基に、主従関係にある従ＩＣカード４ｂの所持者が全て退室しているかどうかを照合する。
更に、第２の照合手段は、主従関係にある従ＩＣカード４ｂの所持者が退室していない場合、退室していない従ＩＣカード４ｂの所持者と主従関係にあり、かつ退室を試みている者と異なる主ＩＣカード４ａの所持者が、入室しているかどうかを照合するものであっても良い。
【００３３】
データベース更新手段５４は、ＩＣカード４から読み取る情報に基づいて、入退室履歴情報データベース５６が保持する各種の情報を更新する。すなわち、データベース更新手段５４は、入退室履歴情報データベース５６を構成する各テーブルのレコードを挿入、更新、削除する機能である。入退室履歴情報データベース５６を構成する各テーブルは、図６から図９までの説明にて後述する。
【００３４】
ゲート開閉指示手段５５は、ＩＣカード認証手段５２による認証、および照合手段５３による照合の結果に従い、ゲート開閉制御部２３に対し、ゲート６の開閉指示を行う。
【００３５】
図４は、フラッパーゲート７の機能の概要を示すブロック図である。
図４に示すように、フラッパーゲート７は、ＩＣカード読み取り手段６１、ＩＣカード認証手段６２、ＩＣカード書き換え手段６３、ゲート開閉指示手段６４等を備える。
【００３６】
ＩＣカード読み取り手段６１は、ＩＣカード４の記憶部１１に記憶されている情報を送受信部３２によって読み取る。ＩＣカード認証手段６２は、ＩＣカード４から読み取る情報に基づいて、正規の手続きによって発行されたものであるか、または有効期限が切れていないか等、通常の認証処理を行う。
【００３７】
ＩＣカード書き換え手段６３は、ＩＣカード４が記憶する情報を書き換える。書き換えは、例えば、社員やアルバイト従業員等の利用者３が出社する際に、既に記憶している情報を上書きして書き換えても良い。また、例えば、退社する際に既に記憶している情報を削除し、出社する際には新規に書き込みを行うようにしても良い。
【００３８】
ゲート開閉指示手段６４は、ＩＣカード認証手段６２による認証に従い、ゲート開閉制御部３３に対し、自らのゲートの開閉指示を行う。
【００３９】
次に、図５から図９までに基づいて、入退室管理システム１に係るデータについて説明する。
【００４０】
図５は、ＩＣカード４の記憶領域９１のデータの１例を示す図である。
図５に示すように、ＩＣカード４の記憶領域９１のデータは、カードＩＤ１０１、主の固有情報１０２、従の固有情報１０３等の項目を含む。
【００４１】
カードＩＤ１０１は、ＩＣカード４を一意に識別する番号であり、全てのＩＣカード４の記憶領域９１に記憶されている。
主の固有情報１０２は、主ＩＣカード４ａの所持者固有の情報である。例えば、所持者が社員などである場合、社員番号など所持者を特定する情報（カードＩＤ１０１と同一であっても良い。）、または部署、役職など所持者の属性情報、または所持者が行う業務に関する情報等である。主ＩＣカード４ａの記憶部１１は、当該主ＩＣカード４ａの所持者に係る主の固有情報１０２を記憶する。
従の固有情報１０３は、従ＩＣカード４ｂの所持者固有の情報である。所持者が訪問者などである場合、訪問者の氏名、または訪問時に記入する伝票の番号など訪問者を特定する情報、または社名など訪問者の属性情報、または会議名など訪問者に係る業務に関する情報等である。また、所持者がアルバイト従業員などである場合、主の固有情報１０２の説明において前述した、所持者が社員などである場合と同様の情報である。従ＩＣカード４ｂの記憶部１１は、当該従ＩＣカード４ｂの所持者に係る従の固有情報１０３を記憶する。
主の固有情報１０２、および従の固有情報１０３の両方とも、少なくとも前述する複数の情報のいずれか１つを含むものであれば良く、複数の情報を組み合わせたものであっても良い。
【００４２】
図６から図９までは、入退室履歴情報データベース５６を構成する各テーブルのレイアウトの１例を示している。尚、既に説明した項目については同一の番号を付し、重複する説明を避けることとする。
図６は、入室履歴情報９２の１例を示す図である。
図６に示すように、入室履歴情報９２は、カードＩＤ１０１、入室日時１０４等の項目を含む。
入室日時１０４は、ＩＣカード４の所持者が入室した日時である。
入室履歴情報９２は、いわゆるログテーブルであり、盗難等が発生した場合には、誰がいつ部屋２に入室したかを追跡できる情報を保持している。入室履歴情報９２は、入室があるごとに、入退室管理装置５のデータベース更新手段５４によって新規のレコードが挿入される。
【００４３】
図７は、退室履歴情報９３の１例を示す図である。
図７に示すように、退室履歴情報９３は、カードＩＤ１０１、退室日時１０５等の項目を含む。
退室日時１０５は、ＩＣカード４の所持者が退室した日時である。
退室履歴情報９３は、いわゆるログテーブルであり、盗難等が発生した場合には、誰がいつ部屋２を退室したかを追跡できる情報を保持している。退室履歴情報９３は、退室があるごとに、入退室管理装置５のデータベース更新手段５４によって新規のレコードが挿入される。
【００４４】
図８は、入退室状況情報９４の１例を示す図である。
図８に示すように、入退室状況情報９４は、主の固有情報１０２、従の固有情報１０３、主の入退室状況１０６、従の入退室状況１０７等の項目を含む。
主の入退室状況１０６は、同一レコードの主の固有情報１０２に合致する主ＩＣカード４ａの所持者が入室しているか、または退室しているかを示す情報である。ここで、主の固有情報１０２のデータ設計によっては、合致する主ＩＣカード４ａの所持者が複数存在する場合もある。このような場合、合致する主ＩＣカード４ａの所持者の入室人数を示す情報としても良い。
従の入退室状況１０７は、同一レコードの従の固有情報１０３に合致する従ＩＣカード４ｂの所持者が入室しているか、または退室しているかを示す情報である。ここで、従の固有情報１０３のデータ設計によっては、合致する従ＩＣカード４ｂの所持者が複数存在する場合もある。このような場合、合致する従ＩＣカード４ｂの所持者の入室人数を示す情報としても良い。
入退室状況情報９４は、現在の入退室状況を示すテーブルであり、入退室管理装置５の照合手段５３が参照するテーブルである。また、入退室状況情報９４は、入退室があるごとに、入退室管理装置５のデータベース更新手段５４によって該当するレコードが更新（挿入、削除を含む。）される。すなわち、入退室状況情報９４は、ＩＣカード４から読み取る主の固有情報１０２、および／または従の固有情報１０３を保持する。
【００４５】
図９は、主従関係情報９５の１例を示す図である。
図９に示すように、主従関係情報９５は、主の固有情報１０２、従の固有情報１０３等の項目を含む。
主従関係情報９５は、利用者３の主従関係を示すテーブルである。主従関係情報９５を用いる場合、ＩＣカード４の記憶部１１において主従関係の情報を記憶する必要はない。
【００４６】
図５から図９までを参照し、入退室管理システム１のデータについて説明したが、図示したテーブル、および項目の全てを用いる必要はない。
例えば、ＩＣカード４の記憶領域９１は、主ＩＣカード４ａが主従関係にある従の固有情報１０３を保持する場合、従ＩＣカード４ｂは主の固有情報１０２を保持する必要はない。また、その逆の場合も同様である。但し、主ＩＣカード４ａ、および従ＩＣカード４ｂの両方が、主従関係にある従の固有情報１０３や主の固有情報１０２を保持しても構わない。
また、例えば、ＩＣカード４の記憶部１１において主従関係の情報を記憶する場合、主従関係情報９５を用いる必要はない。また、その逆の場合、すなわち、主ＩＣカード４ａは主従関係にある従の固有情報１０３を記憶せず、および従ＩＣカード４ｂは主従関係にある主の固有情報１０２を記憶しないようにし、主従関係情報９５を用いるようにしても良い。
また、例えば、入退室状況情報９４は、更新の仕方によっては、主の入退室状況１０６や従の入退室状況１０７等の項目を用いる必要はない。
【００４７】
次に、図１０から図１２までに基づいて、入退室管理システム１を構成する各種装置の動作の詳細について説明する。
【００４８】
図１０は、利用者３が部屋２に入室する際の入退室管理装置５の動作を示すフローチャートである。
図１０に示すように、利用者３がＩＣカード４の認証を受けようとすると、入退室管理装置５の制御部２５は、ＩＣカード読み取り手段５１によってＩＣカード４の読み取りを行う（Ｓ２０１）。
【００４９】
次に、入退室管理装置５の制御部２５は、ＩＣカード認証手段５２によってＩＣカード４の認証を行う（Ｓ２０２）。
認証が成功した場合、Ｓ２０４に進む（Ｓ２０３のＹｅｓ）。
認証が失敗した場合、処理を終了する（Ｓ２０３のＮｏ）。
【００５０】
次に、入退室管理装置５の制御部２５は、ＩＣカード４が主ＩＣカード４ａであるか確認する（Ｓ２０４）。ここで、ＩＣカード４が主ＩＣカード４ａであるか、または従ＩＣカード４ｂであるかは、主ＩＣカード４ａの記憶部１１に記憶されている主の固有情報１０２、または従ＩＣカード４ｂの記憶部１１に記憶されている従の固有情報１０３の内容によって判別可能であるとする。
主ＩＣカード４ａである場合、Ｓ２０７に進む（Ｓ２０４のＹｅｓ）。
従ＩＣカード４ｂである場合、Ｓ２０５に進む（Ｓ２０４のＮｏ）。
【００５１】
次に、入退室管理装置５の制御部２５は、従ＩＣカード４ｂに対し、照合手段５３によって第１の照合を行う（Ｓ２０５）。第１の照合では、従ＩＣカード４ｂの所持者が部屋２に入室する際に、従ＩＣカード４ｂから読み取る情報と入退室履歴情報データベース５６の入退室状況情報９４等とを基に、主従関係にある主ＩＣカード４ａの所持者が入室しているかどうかを照合する。これにより、従ＩＣカード４ｂの所持者が入室する際には単独での入室はできず、必ず先に主従関係にある主ＩＣカード４ａの所持者が入室していることをシステム的に担保することができる。
照合条件を満たす場合、Ｓ２０７に進む（Ｓ２０６のＹｅｓ）。
照合条件を満たさない場合、処理を終了する（Ｓ２０６のＮｏ）。
【００５２】
次に、入退室管理装置５の制御部２５は、データベース更新手段５４によって入退室履歴情報データベース５６の更新を行う（Ｓ２０７）。具体的には、入室履歴情報９２に対し、入室する利用者３のカードＩＤ１０１に係るレコードを挿入する。また、入退室状況情報９４に対し、入室する利用者３の主の固有情報１０２、および／または従の固有情報１０３に係るレコードを挿入、または更新する。
【００５３】
次に、入退室管理装置５の制御部２５は、ゲート開閉指示手段５５によってゲート６への開錠指示を行う（Ｓ２０８）。これにより、利用者３は、部屋２に入室することが可能となる。
【００５４】
図１１は、利用者３が部屋２を退室する際の入退室管理装置５の動作を示すフローチャートである。
図１１に示すように、利用者３がＩＣカード４の認証を受けようとすると、入退室管理装置５の制御部２５は、ＩＣカード読み取り手段５１によってＩＣカード４の読み取りを行う（Ｓ３０１）。
【００５５】
次に、入退室管理装置５の制御部２５は、ＩＣカード認証手段５２によってＩＣカード４の認証を行う（Ｓ３０２）。
認証が成功した場合、Ｓ３０４に進む（Ｓ３０３のＹｅｓ）。
認証が失敗した場合、処理を終了する（Ｓ３０３のＮｏ）。
【００５６】
次に、入退室管理装置５の制御部２５は、ＩＣカード４が主ＩＣカード４ａであるか確認する（Ｓ３０４）。
主ＩＣカード４ａである場合、Ｓ３０５に進む（Ｓ３０４のＹｅｓ）。
従ＩＣカード４ｂである場合、Ｓ３０７に進む（Ｓ３０４のＮｏ）。
【００５７】
次に、入退室管理装置５の制御部２５は、従ＩＣカード４ｂに対し、照合手段５３によって第２の照合を行う（Ｓ３０５）。ここで、第２の照合は、二通りの照合条件が存在する。
【００５８】
第１の照合条件は、予め定められた主従関係が１対ｎの場合である。このとき、第２の照合では、主ＩＣカード４ａの所持者が部屋２を退室する際に、主ＩＣカード４ａから読み取る情報と入退室履歴情報データベース５６の入退室状況情報９４等とを基に、主従関係にある従ＩＣカード４ｂの所持者が全て退室しているかどうかを照合する。これにより、主ＩＣカード４ａの所持者が退室する際には従ＩＣカード４ｂの所持者が全て退室していなければならず、必ず主従関係にある従ＩＣカード４ｂの所持者が単独で部屋２に在室しないことをシステム的に担保することができる。
【００５９】
第２の照合条件は、予め定められた主従関係がｍ対ｎの場合である。このとき、第２の照合では、第１の照合条件による照合を行い、更に、主従関係にある従ＩＣカード４ｂの所持者が退室していない場合には、退室していない従ＩＣカード４ｂの所持者と主従関係にあり、かつ退室を試みている者と異なる主ＩＣカード４ａの所持者が、入室しているかどうかを照合する。これにより、同一の主従関係にある主ＩＣカード４ａの所持者が複数存在する場合、その中の一人が在室していれば、他の主ＩＣカード４ａの所持者は退室することが可能となり、利便性を向上することができる。すなわち、ある社員が、訪問者やアルバイト従業員等の管理について、他の社員に引継ぎを行うことができる。
【００６０】
照合条件を満たす場合、Ｓ３０７に進む（Ｓ３０６のＹｅｓ）。
照合条件を満たさない場合、処理を終了する（Ｓ３０６のＮｏ）。
【００６１】
次に、入退室管理装置５の制御部２５は、データベース更新手段５４によって入退室履歴情報データベース５６の更新を行う（Ｓ３０７）。具体的には、退室履歴情報９３に対し、退室する利用者３のカードＩＤ１０１に係るレコードを挿入する。また、入退室状況情報９４に対し、退室する利用者３の主の固有情報１０２、および／または従の固有情報１０３に係るレコードを削除、または更新する。
【００６２】
次に、入退室管理装置５の制御部２５は、ゲート開閉指示手段５５によってゲート６への開錠指示を行う（Ｓ３０８）。これにより、利用者３は部屋２を退室することが可能となる。
【００６３】
図１２は、利用者３がフラッパーゲート７を通過する際のフラッパーゲート７の動作を示すフローチャートである。
図１２に示すように、利用者３がＩＣカード４の認証を受けようとすると、フラッパーゲート７の制御部３５は、ＩＣカード読み取り手段６１によってＩＣカード４の読み取りを行う（Ｓ４０１）。
【００６４】
次に、フラッパーゲート７の制御部３５は、ＩＣカード認証手段６２によってＩＣカード４の認証を行う（Ｓ４０２）。
認証が成功した場合、Ｓ４０４に進む（Ｓ４０３のＹｅｓ）。
認証が失敗した場合、処理を終了する（Ｓ４０３のＮｏ）。
【００６５】
次に、フラッパーゲート７の制御部３５は、ＩＣカード書き換え手段６３によってＩＣカード４の書き換えを行う（Ｓ４０４）。これにより、ＩＣカード４の記憶領域９１が記憶する主の固有情報１０２、および／または従の固有情報１０３を変更することができる。例えば、毎日の業務が異なるようなアルバイト従業員等に対しては、出社時に予定する業務と管理担当の社員の内容を変更することで、速やかな業務遂行とセキュリティの確保とを両立することができる。
【００６６】
次に、フラッパーゲート７の制御部３５は、ゲート開閉指示手段６４によって自らのゲートへの開錠指示を行う（Ｓ４０５）。これにより、利用者３はフラッパーゲート７を通過することが可能となる。
【実施例１】
【００６７】
次に、図１３、図１４を参照しながら、第１の実施の形態に係る実施例１について説明する。
図１３は、実施例１の第１の状況を示す図である。
図１４は、実施例１の第２の状況を示す図である。
【００６８】
実施例１では、従ＩＣカード４ｂの記憶領域９１が主従関係を記憶、すなわち主の固有情報１０２を記憶しているとし、主従関係は１対ｎの場合である。また、主の固有情報１０２および従の固有情報１０３の具体的な情報の内容は、所持者を特定する情報のみとしている。
【００６９】
図１３に示す第１の状況では、部屋Ｚ１０１において、主ＩＣカード４ａの所持者である社員Ａ、および従ＩＣカード４ｂの所持者である訪問者Ｂが入室済である。そして、従ＩＣカード４ｂの所持者である訪問者Ｃが入室するところである。また、訪問者Ｃが所持する従ＩＣカード４ｂには、主従関係にある主の固有情報１０２として社員Ａが記憶されている。
この場合、入退室管理装置５は、訪問者Ｃが所持する従ＩＣカード４ｂから読み取る主の固有情報１０２と、入退室状況情報９４に登録されている主の固有情報１０２と、を照合し、該当する主の固有情報１０２が入退室状況情報に登録されているか確認する。そして、社員Ａに係る主の固有情報１０２が登録されていることから照合条件を満たすとしてゲート６を開く。ここで、照合条件は、図１０の説明にて前述した第１の照合における照合条件である。
図１３に示す入退室状況情報９４は、訪問者Ｃが入室した後の内容であり、社員Ａと訪問者Ｂとの主従関係（以下、「主従関係Ａ−Ｂ」のように記載する。）、主従関係Ａ−Ｃに係る二個のレコードが登録されている。
【００７０】
図１４に示す第２の状況では、図１３に示す第１の状況から、既に訪問者Ｂが退室している。
つまり、図１４に示す入退室状況情報９４は、訪問者Ｂが退室した後の内容であり、主従関係Ａ−Ｂに係るレコードが削除されている。
更に、図１４に示す第２の状況では、社員Ａが訪問者Ｃよりも先に退室しようとしている。
この場合、入退室管理装置５は、社員Ａが所持する主ＩＣカード４ａから読み取る主の固有情報１０２と、入退室状況情報９４に登録されている主の固有情報１０２と、を照合し、該当する主の固有情報１０２と主従関係にある従の固有情報１０３が入退室状況情報９４に登録されているか確認する。そして、訪問者Ｃに係る従の固有情報１０３が登録されていることから照合条件を満たさないとしてゲート６を開けない。ここで、主従関係は１対ｎであるから、照合条件は、図１１の説明にて前述した第２の照合における第１の照合条件である。
社員Ａが退室するためには、訪問者Ｃが退室し、入退室状況情報９４から、主従関係Ａ−Ｃに係るレコードが削除される必要がある。このように、主ＩＣカード４ａの所持者である社員Ａは、社員Ａと主従関係にある従ＩＣカード４ｂの所持者が一人でも在室している場合には退室することができない。
【実施例２】
【００７１】
次に、図１５から図１８までを参照しながら、第１の実施の形態に係る実施例２について説明する。
図１５は、実施例２の第１の状況に係る入退室状況情報９４を示す図である。
図１６は、実施例２の第２の状況に係る入退室状況情報９４を示す図である。
図１７は、実施例２の第３の状況に係る入退室状況情報９４を示す図である。
図１８は、実施例２の第４の状況に係る入退室状況情報９４を示す図である。
【００７２】
実施例２では、従ＩＣカード４ｂの記憶領域９１が主従関係を記憶、すなわち主の固有情報１０２を記憶しているとし、主従関係はｍ対ｎの場合である。また、主の固有情報１０２および従の固有情報１０３の具体的な情報の内容は、所持者を特定する情報のみとしている。
【００７３】
実施例２では、Ａ、Ｂが主ＩＣカード４ａの所持者である社員、ａ、ｂ、ｃが従ＩＣカード４ｂの所持者であるアルバイト従業員である。そして、アルバイト従業員ａ、ｂ、ｃが所持する従ＩＣカード４ｂには、主従関係にある主の固有情報１０２として、それぞれ、社員Ａと社員Ｂ、社員Ａのみ、社員Ａのみが記憶されている。
【００７４】
第１の状況では、最初に社員Ａが入室、続いてアルバイト従業員ｂ、ｃが入室している。
つまり、図１５に示す入退室状況情報９４では、主従関係Ａ−ｂ、主従関係Ａ−ｃに係る二個のレコードが登録されている。尚、実施例２では、入退室状況情報９４の項目に主の入退室状況１０６も含めており、主の入退室状況１０６は、該当する主ＩＣカード４ａの所持者が入室しているか、または退室しているかを示す。
【００７５】
第２の状況では、第１の状況から、アルバイト従業員ａが入室している。ここで、アルバイト従業員ａが入室する際、主従関係にある社員Ａと社員Ｂのうち、社員Ａが入室していることから、入退室管理装置５は、図１０の説明にて前述した第１の照合における照合条件を満たすと判定している。
つまり、図１６に示す入退室状況情報９４では、更に、主従関係Ａ−ａ、主従関係Ｂ−ａに係る二個のレコードが登録されている。但し、社員Ｂは入室していないことから、主従関係Ｂ−ａに係るＮｏ４のレコードでは、主の入退室状況１０６は「出」となっている。
【００７６】
第３の状況では、第２の状況から、社員Ｂが入室している。
つまり、図１７に示す入退室状況情報９４では、主従関係Ｂ−ａに係るＮｏ４のレコードの主の入退室状況１０６は「入」となっている。
【００７７】
第４の状況では、第３の状況から、最初にアルバイト従業員ｂ、ｃが退室し、続いて社員Ａが退室している。ここで、社員Ａが退室する際には、入退室管理装置５は、社員Ａが所持する主ＩＣカード４ａから読み取る主の固有情報１０２と、入退室状況情報９４に登録されている主の固有情報１０２と、を照合し、該当する主の固有情報１０２と主従関係にある従の固有情報１０３が入退室状況情報９４に登録されているか確認する。そして、主従関係にある従ＩＣカード４ｂの所持者であるアルバイト従業員ａが退室していないと判断する。更に、入退室管理装置５は、退室していない従ＩＣカード４ｂの所持者と主従関係にあり、かつ退室を試みている者と異なる主ＩＣカード４ａの所持者が、入室しているかどうかを照合する。すなわち、アルバイト従業員ａを示す従の固有情報１０３と主従関係にある主の固有情報１０２であって、社員Ａを示すものではないものが、入退室状況情報９４に入室している状態（＝主の入退出状況１０７が「入」）で登録されているか確認する。そして、社員Ｂに係る主の固有情報１０２が入室している状態で登録されていることから、入退室管理装置５は、図１１の説明にて前述した第２の照合における第２の照合条件を満たすとしてゲート６を開く。
つまり、図１８に示す入退室状況情報９４では、主従関係Ａ−ｂ、主従関係Ａ−ｃに係る二個のレコードが削除され、主従関係Ａ−ａに係るレコードの主の入退室状況１０６は「出」となっている。
この後、社員Ｂが退室するためには、アルバイト従業員ａが退室し、入退室状況情報９４から、主従関係Ｂ−ａに係るレコードが削除される必要がある。
このように、主従関係がｍ対ｎで定められている場合、第２の照合条件によって第２の照合を行うことで、社員Ａが、アルバイト従業員ａの管理について、社員Ｂに引継ぎを行うことができる。
【実施例３】
【００７８】
次に、図１９から図２１までを参照しながら、第１の実施の形態に係る実施例３について説明する。
図１９は、実施例３の第１の状況に係るＩＣカード４の記憶領域９１を示す図である。
図２０は、実施例３の第２の状況に係る入退室状況情報９４を示す図である。
図２１は、実施例３の第３の状況に係る入退室状況情報９４を示す図である。
【００７９】
実施例３では、主ＩＣカード４ａの記憶領域９１および従ＩＣカード４ｂの記憶領域９１ともに主従関係自体の情報は記憶していないものとし、主従関係はｍ対ｎの場合である。また、主の固有情報１０２および従の固有情報１０３の具体的な情報の内容は、所持者を特定する情報と所持者が行う業務に関する情報とを組み合わせている。
【００８０】
実施例３は、例えば、ダイレクトメール発送に関する受託業務を行う社員およびアルバイト従業員に関する。Ａ、Ｂ、Ｃは主ＩＣカード４ａの所持者である社員、ａ、ｂ、ｃは従ＩＣカード４ｂの所持者であるアルバイト従業員である。社員Ａ、Ｂ、Ｃは、ダイレクトメール発送を委託した企業に対して半固定的に担当するものとする。アルバイト従業員ａ、ｂ、ｃは、担当する企業が日ごとに異なり、例えば、出社時にフラッパーゲート７によって、所持する従ＩＣカード４ｂの記憶領域９１に記憶する従の固有情報１０３の内容、すなわち、担当する企業が書き換えられるものとする。また、担当する企業は午前と午後とで異なっても良いものとする。
【００８１】
第１の状況は、利用者３全員がフラッパーゲート７を通過した後であり、ＩＣカード４の記憶領域９１が記憶する情報は、図１９に示す内容となっている。社員Ａに係る主の固有情報１０２は、（Ａ、甲会社）である。これは、社員Ａが甲会社を担当することを意味する。また、社員Ｂに係る主の固有情報１０２は、（Ｂ、乙会社）および（Ｂ、丙会社）である。これは、社員Ｂが乙会社および丙会社を担当することを意味する。一方、アルバイト従業員ａに係る従の固有情報１０３は、（ａ、午前、甲会社）および（ａ、午後、乙会社）である。これは、アルバイト従業員ａが午前には甲会社を担当し、午後には乙会社を担当することを意味する。
【００８２】
第２の状況では、第１の状況から、最初に社員Ａが部屋２に入室し、続いてアルバイト従業員ａ、ｃが部屋２に入室し、更に続いて社員Ｃが部屋２に入室している。
つまり、図２０に示す入退室状況情報９４では、主従関係（Ａ、甲会社）−（ａ、午前、甲会社）、主従関係（Ａ、甲会社）−（ｃ、午前、甲会社）、主従関係（Ｃ、甲会社）−（ａ、午前、甲会社）、主従関係（Ｃ、甲会社）−（ｃ、午前、甲会社）に係る四個のレコードが登録されている。また、（Ｃ、乙会社）の主の固有情報１０２のみを保持する一個のレコードが登録されている。これは、社員Ｃが入室した段階では、主従関係にある従ＩＣカード４ｂの所持者が一人も入室しておらず、紐付く従の固有情報１０３が存在しない為である。
この状況では、アルバイト従業員ｂの業務に関する情報を媒介として主従関係にある社員Ｃが入室している為、アルバイト従業員ｂは部屋２に入室することが可能である。すなわち、アルバイト従業員ｂが入室する際、入退室管理装置５は、図１０の説明にて前述した第１の照合における照合条件を満たすと判定する。
また、この状況では、社員Ａまたは社員Ｂの業務に関する情報を媒介として主従関係にあるアルバイト従業員ａ、ｃが入室しているが、社員Ａと社員Ｂの両方ともアルバイト従業員ａ、ｃを管理する立場にある為、社員Ａまたは社員Ｂのいずれか一方が退室することが可能である。すなわち、社員Ａまたは社員Ｂのいずれか一方が退室する際、入退室管理装置５は、図１１の説明にて前述した第２の照合における第２の照合条件を満たすと判定する。
尚、午前の就業時間が終了した場合、アルバイト従業員の全員が部屋２を退室する。
【００８３】
第３の状況では、第２の状況から、午前の就業時間が終了して全員が部屋２を退室した後、最初に社員Ｂが部屋２に入室し、続いてアルバイト従業員ａ、ｃ、ｂが部屋２に入室している。
つまり、図２１に示す入退室状況情報９４では、主従関係（Ｂ、乙会社）−（ａ、午後、乙会社）、主従関係（Ｂ、丙会社）−（ｃ、午後、丙会社）、主従関係（Ｂ、乙会社）−（ｂ、午後、乙会社）に係る三個のレコードが登録されている。
この状況では、仮に社員Ａと社員Ｃが更に続いて入室した場合であっても、社員Ｂは退室することはできない。これは、アルバイト従業員ｃに対しては社員Ｂのみが管理する立場にある為である。すなわち、仮に社員Ａと社員Ｃが更に続いて入室した場合であっても、社員Ｂが退室する際、入退室管理装置５は、図１１の説明にて前述した第２の照合における第２の照合条件を満たさないと判定する。
【００８４】
実施例３では、利用者３の業務に関する情報を媒介として主従関係を定義しており、所持者を特定する情報によって直接的に主従関係を定義する実施例１、実施例２と比して、人の異動や業務状況の変動等に対して柔軟に対応することが可能となる。また、フラッパーゲート７を利用し、アルバイト従業員に対しては、出社時に予定する業務と管理担当の社員の内容を変更することで、速やかな業務遂行とセキュリティの確保とを両立することができる。
【実施例４】
【００８５】
次に、図２２から図２４までを参照しながら、第１の実施の形態に係る実施例４について説明する。
図２２は、実施例４の第１の状況に係る入退室状況情報９４を示す図である。
図２３は、実施例４の第２の状況に係る主従関係情報９５を示す図である。
図２４は、実施例４の第３の状況に係る入退室状況情報９４を示す図である。
【００８６】
実施例４では、主ＩＣカード４ａの記憶領域９１および従ＩＣカード４ｂの記憶領域９１ともに主従関係自体の情報は記憶していないものとし、主従関係はｍ対ｎの場合である。また、主の固有情報１０２および従の固有情報１０３の具体的な情報の内容は、所持者を特定する情報のみとしている。
【００８７】
実施例４は、例えば、ダイレクトメール発送に関する受託業務を行う社員およびアルバイト従業員に関する。Ａ、Ｂ、Ｃは主ＩＣカード４ａの所持者である社員、ａ、ｂ、ｃは従ＩＣカード４ｂの所持者であるアルバイト従業員である。社員Ａ、Ｂ、Ｃおよびアルバイト従業員ａ、ｂ、ｃが担当する企業は、部屋２に入室した後に割り振りを行うものとする。従って、企業の割り振り後に、入退室履歴情報データベース５６の主従関係情報９５に主従関係を登録するものとする。
【００８８】
第１の状況では、社員Ａ、Ｂ、Ｃおよびアルバイト従業員ａ、ｂ、ｃが部屋２に入室している。
つまり、図２２に示す入退室状況情報９４では、主の固有情報１０２として「Ａ、Ｂ、Ｃ」を保持する三個のレコードが登録されている。また、従の固有情報１０３として「ａ、ｂ、ｃ」を保持する三個のレコードが登録されている。そして、いずれのレコードも、主従関係にある従の固有情報１０３または主の固有情報１０２を保持していない。これは、ＩＣカード４の記憶領域９１に主従関係自体の情報が記憶されていない為である。
尚、実施例４では、主ＩＣカード４ａの記憶部１１に記憶されている主の固有情報１０２、または従ＩＣカード４ｂの記憶部１１に記憶されている従の固有情報１０３の内容によって、主ＩＣカード４ａであるか、または従ＩＣカード４ｂであるかを入退室管理装置５が判定し、従ＩＣカード４ｂの所持者であるアルバイト従業員が単独で部屋２に入室することを防止することとする。
【００８９】
第２の状況では、社員Ａ、Ｂ、Ｃおよびアルバイト従業員ａ、ｂ、ｃが担当する企業の割り振りが行われて、主従関係が定義されている。
つまり、図２３に示す主従関係情報９５では、主従関係（Ａ、甲会社）−（ａ、甲会社）、主従関係（Ａ、甲会社）−（ｂ、甲会社）、主従関係（Ｂ、乙会社）−（ａ、乙会社）、主従関係（Ｃ、丙会社）−（ｃ、丙会社）に係る四個のレコードが登録されている。
この状況では、社員Ａ、Ｂ、Ｃのいずれもが部屋２を退室することはできない。すなわち、社員Ａ、Ｂ、Ｃのいずれかが退室する際、入退室管理装置５は、図２２に示す入退室状況情報９４と図２３に示す主従関係情報９５とを参照することで、図１１の説明にて前述した第２の照合における第２の照合条件を満たさないと判定する。
【００９０】
第３の状況では、アルバイト従業員ｂが既に退室している。
つまり、図２４に示す入退室状況情報９４では、従の固有情報１０３が「ｂ」に係るレコードが削除されている。
この状況では、社員Ａまたは社員Ｂのいずれか一方は部屋２を退室することができる。これは、社員Ａと社員Ｂの両方ともアルバイト従業員ａを管理する立場にあり、社員Ａまたは社員Ｂのいずれか一方が退室することが可能である為である。従って、社員Ａまたは社員Ｂのいずれか一方が退室する際、入退室管理装置５は、図２４に示す入退室状況情報９４と図２３に示す主従関係情報９５とを参照することで、第２の照合における第２の照合条件を満たすと判定する。
【００９１】
実施例４では、部屋２に入室した後に主従関係を定義しており、部屋２に入室しないと業務量が分からない場合であっても、柔軟に業務の割り振りを行うことができる。
【００９２】
以上説明したように、第１の実施の形態によれば、従ＩＣカード４ｂの所持者が部屋２に入室する際には、入退室管理装置５の制御部２５が、照合手段５３によって第１の照合による照合条件を照合する。すなわち、従ＩＣカード４ｂの所持者が部屋２に入室する際に、従ＩＣカード４ｂから読み取る情報と入退室履歴情報データベース５６が保持する情報とを基に、主従関係にある主ＩＣカード４ａの所持者が入室しているかどうかを照合する。これにより、従ＩＣカード４ｂの所持者が入室する際には単独での入室はできず、必ず先に主従関係にある主ＩＣカード４ａの所持者が入室していることをシステム的に担保することができる。
【００９３】
また、第１の実施の形態によれば、予め定められた主従関係が１対ｎの場合であって、主ＩＣカード４ａの所持者が部屋２を退室する際には、照合手段５３によって第２の照合による第１の照合条件を照合する。すなわち、主ＩＣカード４ａから読み取る情報と入退室履歴情報データベース５６が保持する情報とを基に、主従関係にある従ＩＣカード４ｂの所持者が全て退室しているかどうかを照合する。これにより、主ＩＣカード４ａの所持者が退室する際には従ＩＣカード４ｂの所持者が全て退室していなければならず、必ず主従関係にある従ＩＣカード４ｂの所持者が単独で部屋２に在室しないことをシステム的に担保することができる。
【００９４】
また、第１の実施の形態によれば、予め定められた主従関係がｍ対ｎの場合であって、主ＩＣカード４ａの所持者が部屋２を退室する際には、照合手段５３によって第２の照合による第２の照合条件を照合する。すなわち、第１の照合条件による照合を行い、更に、主従関係にある従ＩＣカード４ｂの所持者が退室していない場合には、退室していない従ＩＣカード４ｂの所持者と主従関係にあり、かつ退室を試みている者と異なる主ＩＣカード４ａの所持者が、入室しているかどうかを照合する。これにより、同一の主従関係にある主ＩＣカード４ａの所持者が複数存在する場合、その中の一人が在室していれば、他の主ＩＣカード４ａの所持者は退室することが可能となり、利便性を向上することができる。すなわち、ある社員が、訪問者やアルバイト従業員等の管理について、他の社員に引継ぎを行うことができる。
【００９５】
次に、図面に基づいて、第２の実施の形態を詳細に説明する。尚、第１の実施の形態の説明において既に説明したものについては同一の番号を付し、重複する説明を避けることとする。
【００９６】
図２５は、第２の実施の形態に係る入退室管理システム１ａの概要を示す図である。
図２５に示すように、入退室管理システム１ａは、ＩＣカード４、入退室管理装置５ａ、フラッパーゲート７、サーバ８等で構成される。
【００９７】
入退室管理装置５ａは、サーバ８と連携し、ＩＣカード４に記憶された情報を読み取って、入退室の際に通過するゲート６の開閉状態を制御する。部屋２の入口近傍および出口近傍には、ＩＣカード４に記憶された情報を読み取る機器、例えばＩＣカードリーダライタ等が設置される。また、部屋２の出入口には、自動的に開閉を行うゲート６が備えられており、ゲート６の開閉は入退室管理装置５ａによって制御される。部屋２が複数存在する場合、入退室管理装置５ａは、部屋２ごとに設置される。
【００９８】
サーバ８は、入退室管理装置５ａから送信される情報に基づいて入退室の可否を判断し、入退室管理装置５ａが制御するゲート６の開閉状態を指示する指示情報を入退室管理装置５ａに送信し、各部屋２の入退室について制御する。
【００９９】
次に、図２６に基づいて、入退室管理システム１ａのハードウェア構成について説明する。図２６は、入退室管理システム１ａを構成する装置のハードウェア構成を示す図である。
【０１００】
図２６に示すように、入退室管理装置５ａは、記憶部２１、送受信部２２、ゲート開閉制御部２３、通信部２４、制御部２５等で構成される。第２の実施の形態では、入退室管理装置５ａとサーバ８は連携して動作することから通信部２４は必須であり、通信部２４はネットワーク９を介してサーバ８と通信を行う。
【０１０１】
サーバ８は、記憶部４１、通信部４２、制御部４３等で構成される。記憶部４１は、制御部４３が実行するプログラム、及びプログラムに必要なデータ等を記憶する。通信部４２は、ネットワーク９を介して、他の機器やコンピュータ等と通信を行う。制御部４３は、記憶部４１に記憶されるプログラムを呼び出して実行し、サーバ８全体を駆動制御する。
【０１０２】
次に、図２７、図２８に基づいて、入退室管理システム１ａのソフトウェア構成について説明する。尚、フラッパーゲート７については、第１の実施の形態における図４の説明と同様である。
【０１０３】
図２７は、入退室管理装置５ａの機能の概要を示すブロック図である。
図２７に示すように、入退室管理装置５ａは、ＩＣカード読み取り手段５１、ＩＣカード認証手段５２、情報送信手段５７、情報受信手段５８、ゲート開閉指示手段５５等を備える。
【０１０４】
情報送信手段５７は、ＩＣカード読み取り手段５１によって読み取った情報をサーバ８等に送信する。情報受信手段５８は、サーバ８等から送信される情報を受信する。
尚、ＩＣカード認証手段５２はサーバ８が具備しても良いが、混乱を避ける為、入退室管理装置５ａが具備するものとして以下の説明を行う。
【０１０５】
図２８は、サーバ８の機能の概要を示すブロック図である。
図２８に示すように、サーバ８は、情報受信手段７１、照合手段７２、データベース更新手段７３、情報送信手段７４、入退室履歴情報データベース７５等を備える。
【０１０６】
情報受信手段７１は、入退室管理装置５ａ等からの情報を受信する。照合手段７２およびデータベース更新手段７３は、第１の実施の形態における入退室管理装置５の照合手段５３およびデータベース更新手段５４の説明と同様である。情報送信手段７４は、ゲート６の開閉状態を指示する指示情報等を入退室管理装置５ａ等に送信する。入退室履歴情報データベース７５を構成する各テーブルは、図３０から図３３までの説明にて後述する。
【０１０７】
次に、図２９から図３３までに基づいて、入退室管理システム１ａに係るデータについて説明する。
【０１０８】
図２９は、ＩＣカード４の記憶領域９１ａのデータの１例を示す図である。
図２９に示すように、ＩＣカード４の記憶領域９１ａのデータは、カードＩＤ１０１、主の固有情報１０２、従の固有情報１０３、部屋番号１０８等の項目を含む。
部屋番号１０８は、入退室が管理された部屋２を一意に識別する番号である。
【０１０９】
図３０から図３３までは、入退室履歴情報データベース７５を構成する各テーブルのレイアウトの１例を示している。
図３０は、入室履歴情報９２ａの１例を示す図である。
図３０に示すように、入室履歴情報９２ａは、カードＩＤ１０１、入室日時１０４、部屋番号１０８等の項目を含む。入室履歴情報９２ａは、各部屋２で入室があるごとに、サーバ８のデータベース更新手段７３によって新規のレコードが挿入される。
【０１１０】
図３１は、退室履歴情報９３ａの１例を示す図である。
図３１に示すように、退室履歴情報９３ａは、カードＩＤ１０１、退室日時１０５、部屋番号１０８等の項目を含む。退室履歴情報９３ａは、各部屋２で退室があるごとに、サーバ８のデータベース更新手段７３によって新規のレコードが挿入される。
【０１１１】
図３２は、入退室状況情報９４ａの１例を示す図である。
図３２に示すように、入退室状況情報９４ａは、部屋番号１０８、主の固有情報１０２、従の固有情報１０３、主の入退室状況１０６、従の入退室状況１０７等の項目を含む。
入退室状況情報９４ａは、該当の部屋番号１０８に係る部屋２の現在の入退室状況を示すテーブルであり、サーバ８の照合手段７２が参照するテーブルである。また、入退室状況情報９４ａは、各部屋２の入退室があるごとに、サーバ８のデータベース更新手段７３によって該当するレコードが更新（挿入、削除を含む。）される。すなわち、入退室状況情報９４ａは、ＩＣカード４から読み取る主の固有情報１０２、および／または従の固有情報１０３を保持する。
【０１１２】
図３３は、主従関係情報９５ａの１例を示す図である。
図３３に示すように、主従関係情報９５ａは、部屋番号１０８、主の固有情報１０２、従の固有情報１０３等の項目を含む。
主従関係情報９５ａは、利用者３の主従関係を示すテーブルである。主従関係情報９５ａを用いる場合、ＩＣカード４の記憶部１１において主従関係の情報を記憶する必要はない。
【０１１３】
図２９から図３３までを参照し、入退室管理システム１ａのデータについて説明したが、図示したテーブル、および項目の全てを用いる必要はない。
例えば、ＩＣカード４の記憶領域９１ａは、主ＩＣカード４ａが主従関係にある従の固有情報１０３を保持する場合、従ＩＣカード４ｂは主の固有情報１０２を保持する必要はない。また、その逆の場合も同様である。但し、主ＩＣカード４ａ、および従ＩＣカード４ｂの両方が、主従関係にある従の固有情報１０３や主の固有情報１０２を保持しても構わない。
また、例えば、ＩＣカード４の記憶部１１において主従関係の情報を記憶する場合、主従関係情報９５ａを用いる必要はない。また、その逆の場合、すなわち、主ＩＣカード４ａは主従関係にある従の固有情報１０３を記憶せず、および従ＩＣカード４ｂは主従関係にある主の固有情報１０２を記憶しないようにし、主従関係情報９５ａを用いるようにしても良い。
また、例えば、入退室状況情報９４ａは、更新の仕方によっては、主の入退室状況１０６や従の入退室状況１０７等の項目を用いる必要はない。
【０１１４】
次に、図３４、図３５に基づいて、入退室管理システム１ａを構成する各種装置の動作の詳細について説明する。尚、フラッパーゲート７については、第１の実施の形態における図１２の説明と同様である。
【０１１５】
図３４は、利用者３が部屋２に入室する際の入退室管理装置５ａとサーバ８との動作を示すフローチャートである。
図３４に示すように、利用者３がＩＣカード４の認証を受けようとすると、入退室管理装置５ａの制御部２５は、ＩＣカード読み取り手段５１によってＩＣカード４の読み取りを行う（Ｓ５０１）。
【０１１６】
次に、入退室管理装置５ａの制御部２５は、ＩＣカード認証手段５２によってＩＣカード４の認証を行う（Ｓ５０２）。
認証が成功した場合、Ｓ５０４に進む（Ｓ５０３のＹｅｓ）。
認証が失敗した場合、処理を終了する（Ｓ５０３のＮｏ）。
【０１１７】
次に、入退室管理装置５ａの制御部２５は、情報送信手段５７によって読み取った情報等をサーバ８に送信し（Ｓ５０４）、サーバ８の制御部４３は、情報受信手段７１によって入退室管理装置５ａから送信された情報を受信する（Ｓ５０５）。
【０１１８】
次に、サーバ８の制御部４３は、ＩＣカード４が主ＩＣカード４ａであるか確認する（Ｓ５０６）。ここで、ＩＣカード４が主ＩＣカード４ａであるか、または従ＩＣカード４ｂであるかは、主ＩＣカード４ａの記憶部１１に記憶されている主の固有情報１０２、または従ＩＣカード４ｂの記憶部１１に記憶されている従の固有情報１０３の内容によって判別可能であるとする。
主ＩＣカード４ａである場合、Ｓ５０９に進む（Ｓ５０６のＹｅｓ）。
従ＩＣカード４ｂである場合、Ｓ５０７に進む（Ｓ５０６のＮｏ）。
【０１１９】
次に、サーバ８の制御部４３は、従ＩＣカード４ｂに対し、照合手段７２によって第１の照合を行う（Ｓ５０７）。第１の照合では、従ＩＣカード４ｂの所持者が部屋２に入室する際に、従ＩＣカード４ｂから読み取る情報と入退室履歴情報データベース７５の該当する部屋番号１０８に係る入退室状況情報９４ａ等とを基に、主従関係にある主ＩＣカード４ａの所持者が入室しているかどうかを照合する。これにより、従ＩＣカード４ｂの所持者が入室する際には単独での入室はできず、必ず先に主従関係にある主ＩＣカード４ａの所持者が入室していることをシステム的に担保することができる。
照合条件を満たす場合、Ｓ５０９に進む（Ｓ５０８のＹｅｓ）。
照合条件を満たさない場合、処理を終了する（Ｓ５０８のＮｏ）。
【０１２０】
次に、サーバ８の制御部４３は、データベース更新手段７３によって入退室履歴情報データベース７５の更新を行う（Ｓ５０９）。具体的には、入室履歴情報９２ａに対し、該当する部屋番号１０８、かつ入室する利用者３のカードＩＤ１０１に係るレコードを挿入する。また、入退室状況情報９４ａに対し、該当する部屋番号１０８、かつ入室する利用者３の主の固有情報１０２、および／または従の固有情報１０３に係るレコードを挿入、または更新する。
【０１２１】
次に、サーバ８の制御部４３は、情報送信手段７４によってゲート６の開錠を指示する指示情報を、該当する部屋番号１０８に係る入退室管理装置５ａに送信し（Ｓ５１０）、入退室管理装置５ａの制御部２５は、情報受信手段５８によってサーバ８から送信された情報を受信する（Ｓ５１１）。
【０１２２】
次に、入退室管理装置５ａの制御部２５は、ゲート開閉指示手段５５によってゲート６への開錠指示を行う（Ｓ５１２）。これにより、利用者３は、部屋２に入室することが可能となる。
【０１２３】
図３５は、利用者３が部屋２を退室する際の入退室管理装置５ａとサーバ８との動作を示すフローチャートである。
図３５に示すように、利用者３がＩＣカード４の認証を受けようとすると、入退室管理装置５ａの制御部２５は、ＩＣカード読み取り手段５１によってＩＣカード４の読み取りを行う（Ｓ６０１）。
【０１２４】
次に、入退室管理装置５ａの制御部２５は、ＩＣカード認証手段５２によってＩＣカード４の認証を行う（Ｓ６０２）。
認証が成功した場合、Ｓ６０４に進む（Ｓ６０３のＹｅｓ）。
認証が失敗した場合、処理を終了する（Ｓ６０３のＮｏ）。
【０１２５】
次に、入退室管理装置５ａの制御部２５は、情報送信手段５７によって読み取った情報等をサーバ８に送信し（Ｓ６０４）、サーバ８の制御部４３は、情報受信手段７１によって入退室管理装置５ａから送信された情報を受信する（Ｓ６０５）。
【０１２６】
次に、サーバ８の制御部４３は、ＩＣカード４が主ＩＣカード４ａであるか確認する（Ｓ６０６）。
主ＩＣカード４ａである場合、Ｓ６０７に進む（Ｓ６０６のＹｅｓ）。
従ＩＣカード４ｂである場合、Ｓ６０９に進む（Ｓ６０６のＮｏ）。
【０１２７】
次に、サーバ８の制御部４３は、従ＩＣカード４ｂに対し、照合手段７２によって第２の照合を行う（Ｓ６０７）。ここで、第２の照合は、二通りの照合条件が存在する。
【０１２８】
第１の照合条件は、予め定められた主従関係が１対ｎの場合である。このとき、第２の照合では、主ＩＣカード４ａの所持者が部屋２を退室する際に、主ＩＣカード４ａから読み取る情報と入退室履歴情報データベース７５の該当する部屋番号１０８に係る入退室状況情報９４ａ等とを基に、主従関係にある従ＩＣカード４ｂの所持者が全て退室しているかどうかを照合する。これにより、主ＩＣカード４ａの所持者が退室する際には従ＩＣカード４ｂの所持者が全て退室していなければならず、必ず主従関係にある従ＩＣカード４ｂの所持者が単独で部屋２に在室しないことをシステム的に担保することができる。
【０１２９】
第２の照合条件は、予め定められた主従関係がｍ対ｎの場合である。このとき、第２の照合では、第１の照合条件による照合を行い、更に、主従関係にある従ＩＣカード４ｂの所持者が退室していない場合には、退室していない従ＩＣカード４ｂの所持者と主従関係にあり、かつ退室を試みている者と異なる主ＩＣカード４ａの所持者が、入室しているかどうかを照合する。これにより、同一の主従関係にある主ＩＣカード４ａの所持者が複数存在する場合、その中の一人が在室していれば、他の主ＩＣカード４ａの所持者は退室することが可能となり、利便性を向上することができる。すなわち、ある社員が、訪問者やアルバイト従業員等の管理について、他の社員に引継ぎを行うことができる。
【０１３０】
照合条件を満たす場合、Ｓ６０９に進む（Ｓ６０８のＹｅｓ）。
照合条件を満たさない場合、処理を終了する（Ｓ６０８のＮｏ）。
【０１３１】
次に、サーバ８の制御部４３は、データベース更新手段７３によって入退室履歴情報データベース７５の更新を行う（Ｓ６０９）。具体的には、退室履歴情報９３ａに対し、該当する部屋番号１０８、かつ退室する利用者３のカードＩＤ１０１に係るレコードを挿入する。また、入退室状況情報９４ａに対し、該当する部屋番号１０８、かつ退室する利用者３の主の固有情報１０２、および／または従の固有情報１０３に係るレコードを削除、または更新する。
【０１３２】
次に、サーバ８の制御部４３は、情報送信手段７４によってゲート６の開錠を指示する指示情報を、該当する部屋２に係る入退室管理装置５ａに送信し（Ｓ６１０）、入退室管理装置５ａの制御部２５は、情報受信手段５８によってサーバ８から送信された情報を受信する（Ｓ６１１）。
【０１３３】
次に、入退室管理装置５ａの制御部２５は、ゲート開閉指示手段５５によってゲート６への開錠指示を行う（Ｓ６１２）。これにより、利用者３は、部屋２を退室することが可能となる。
【実施例５】
【０１３４】
次に、図３６から図３８までを参照しながら、第２の実施の形態に係る実施例５について説明する。
図３６は、実施例５の第１の状況を示す図である。
図３７は、実施例５の第２の状況を示す図である。
図３８は、実施例５の第３の状況を示す図である。
【０１３５】
実施例５では、従ＩＣカード４ｂの記憶領域９１が主従関係を記憶、すなわち主の固有情報１０２を記憶しているとし、主従関係は１対ｎの場合である。また、主の固有情報１０２および従の固有情報１０３の具体的な情報の内容は、所持者を特定する情報のみとしている。
【０１３６】
図３６に示す第１の状況では、部屋番号１０８が「Ｚ１０１」の部屋２において、主ＩＣカード４ａの所持者である社員Ａが入室済である。そして、従ＩＣカード４ｂの所持者である訪問者Ｂが入室するところである。
この場合、サーバ８は、訪問者Ｂが所持する従ＩＣカード４ｂから読み取る主の固有情報１０２と、入退室状況情報９４ａに登録されている主の固有情報１０２と、を照合し、該当する主の固有情報１０２が入退室状況情報９４ａに登録されているか確認する。そして、社員Ａに係る主の固有情報１０２が登録されていることから照合条件を満たすとしてゲート６を開く。ここで、照合条件は、図３４の説明にて前述した第１の照合における照合条件である。
図３６に示す入退室状況情報９４ａは、訪問者Ｂが入室した後の内容であり、主従関係Ａ−Ｂに係る一個のレコードが登録されている。
【０１３７】
図３７に示す第２の状況では、図３６に示す第１の状況から、社員Ａが退室しようとしているところである。
この場合、サーバ８は、社員Ａが所持する主ＩＣカード４ａから読み取る主の固有情報１０２と、入退室状況情報９４ａに登録されている主の固有情報１０２と、を照合し、該当する主の固有情報１０２と主従関係にある従の固有情報１０３が入退室状況情報９４ａに登録されているか確認する。そして、訪問者Ｂに係る従の固有情報１０３が登録されていることから照合条件を満たさないとしてゲート６を開けない。ここで、主従関係は１対ｎであるから、照合条件は、図３５の説明にて前述した第２の照合における第１の照合条件である。
図３７に示す入退室状況情報９４ａは、図３６に示す内容と変化はない。
【０１３８】
図３８に示す第３の状況では、図３７に示す第２の状況から、訪問者Ｂが退室している。図３８に示す入退室状況情報９４ａは、訪問者Ｂが退室した後の内容であり、従の固有情報１０３の値が削除され、部屋番号１０８が「Ｚ１０１」、かつ主の固有情報１０２が「Ａ」のみを保持するレコードが登録されている。
この場合、サーバ８は、社員Ａが所持する主ＩＣカード４ａから読み取る主の固有情報１０２と、入退室状況情報９４ａに登録されている主の固有情報１０２と、を照合し、該当する主の固有情報１０２と主従関係にある従の固有情報１０３が入退室状況情報９４ａに登録されているか確認する。そして、主従関係にある従の固有情報１０３が１つも登録されていないことから照合条件を満たすとしてゲート６を開く。
【実施例６】
【０１３９】
次に、図３９から図４２までを参照しながら、第２の実施の形態に係る実施例６について説明する。
図３９は、実施例６の第１の状況に係る入退室状況情報９４ａを示す図である。
図４０は、実施例６の第２の状況に係る入退室状況情報９４ａを示す図である。
図４１は、実施例６の第３の状況に係る入退室状況情報９４ａを示す図である。
図４２は、実施例６の第４の状況に係る入退室状況情報９４ａを示す図である。
【０１４０】
実施例６では、主ＩＣカード４ａの記憶領域９１ａが主従関係を記憶、すなわち従の固有情報１０３を記憶しているとし、主従関係はｍ対ｎの場合である。また、主の固有情報１０２および従の固有情報１０３の具体的な情報の内容は、所持者を特定する情報のみとしている。
【０１４１】
実施例６では、Ａ、Ｂが主ＩＣカード４ａの所持者である社員、ａ、ｂ、ｃが従ＩＣカード４ｂの所持者であるアルバイト従業員である。そして、社員Ａ、Ｂが所持する主ＩＣカード４ａには、主従関係にある従の固有情報１０３として、それぞれ、アルバイト従業員ａ、ｂ、ｃの三人、アルバイト従業員ａのみが記憶されている。
【０１４２】
第１の状況では、最初に社員Ａが入室、続いてアルバイト従業員ｂ、ｃが入室している。
つまり、図３９に示す入退室状況情報９４ａでは、主従関係Ａ−ａ、主従関係Ａ−ｂ、主従関係Ａ−ｃに係る三個のレコードが登録されている。尚、実施例６では、入退室状況情報９４ａの項目に従の入退室状況１０７も含めており、従の入退室状況１０７は、該当する従ＩＣカード４ｂの所持者が入室しているか、または退室しているかを示す。尚、アルバイト従業員ａは入室していないことから、主従関係Ａ−ａに係るＮｏ１のレコードでは、従の入退室状況１０７は「出」となっている。
【０１４３】
第２の状況では、第１の状況から、アルバイト従業員ａが入室している。ここで、アルバイト従業員ａが入室する際、主従関係にある社員Ａと社員Ｂのうち、社員Ａが入室していることから、サーバ８は、第１の照合において照合条件を満たすと判定している。
つまり、図４０に示す入退室状況情報９４ａでは、主従関係Ａ−ａに係るＮｏ１のレコードの従の入退室状況１０７が「入」に更新されている。
【０１４４】
第３の状況では、第２の状況から、社員Ｂが入室している。
つまり、図４１に示す入退室状況情報９４ａでは、更に、主従関係Ｂ−ａに係るＮｏ４のレコードが登録されている。
【０１４５】
第４の状況では、第３の状況から、最初にアルバイト従業員ｂ、ｃが退室している。
つまり、図４２に示す入退室状況情報９４ａでは、主従関係Ａ−ｂに係るＮｏ２のレコード、および主従関係Ａ−ｃに係るＮｏ３のレコードの従の入退室状況１０７が「出」に更新されている。
この場合、社員Ａは退室することが可能である。すなわち、社員Ａが退室する際には、サーバ８は、社員Ａが所持する主ＩＣカード４ａから読み取る主の固有情報１０２と、入退室状況情報９４ａに登録されている主の固有情報１０２と、を照合し、該当する主の固有情報１０２と主従関係にある従の固有情報１０３が入退室状況情報９４ａに入室している状態（＝従の入退出状況１０８が「入」）で登録されているか確認する。そして、主従関係にある従ＩＣカード４ｂの所持者であるアルバイト従業員ａが退室していないと判断する。更に、サーバ８は、退室していない従ＩＣカード４ｂの所持者と主従関係にあり、かつ退室を試みている者と異なる主ＩＣカード４ａの所持者が、入室しているかどうかを照合する。すなわち、アルバイト従業員ａを示す従の固有情報１０３と主従関係にある主の固有情報１０２であって、社員Ａを示すものではないものが、入退室状況情報９４ａに登録されているか確認する。そして、社員Ｂに係る主の固有情報１０２が登録されていることから、サーバ８は、図３５の説明にて前述した第２の照合における第２の照合条件を満たすとしてゲート６を開く。
この後、社員Ｂが退室するためには、アルバイト従業員ａが退室し、入退室状況情報９４ａから、主従関係Ｂ−ａに係るレコードの従の入退室状況１０７が「出」に更新される必要がある。
このように、主従関係がｍ対ｎで定められている場合、第２の照合条件によって第２の照合を行うことで、社員Ａが、アルバイト従業員ａの管理について、社員Ｂに引継ぎを行うことができる。
【実施例７】
【０１４６】
次に、図４３から図４５までを参照しながら、第２の実施の形態に係る実施例７について説明する。
図４３は、実施例７の第１の状況に係るＩＣカード４の記憶領域９１ａを示す図である。
図４４は、実施例７の第２の状況に係る入退室状況情報９４ａを示す図である。
図４５は、実施例７の第３の状況に係る入退室状況情報９４ａを示す図である。
【０１４７】
実施例７では、主ＩＣカード４ａの記憶領域９１ａおよび従ＩＣカード４ｂの記憶領域９１ａともに主従関係自体の情報は記憶していないものとし、主従関係はｍ対ｎの場合である。また、主の固有情報１０２および従の固有情報１０３の具体的な情報の内容は、所持者を特定する情報と所持者が行う業務に関する情報とを組み合わせている。
【０１４８】
実施例７は、例えば、ダイレクトメール発送に関する受託業務を行う社員およびアルバイト従業員に関する。Ａ、Ｂ、Ｃは主ＩＣカード４ａの所持者である社員、ａ、ｂ、ｃは従ＩＣカード４ｂの所持者であるアルバイト従業員である。社員Ａ、Ｂ、Ｃは、ダイレクトメール発送を委託した企業に対して半固定的に担当するものとする。アルバイト従業員ａ、ｂ、ｃは、担当する企業が日ごとに異なり、例えば、出社時にフラッパーゲート７によって、所持する従ＩＣカード４ｂの記憶領域９１ａに記憶する従の固有情報１０３の内容、すなわち、担当する企業が書き換えられるものとする。
【０１４９】
第１の状況は、利用者３全員がフラッパーゲート７を通過した後であり、ＩＣカード４の記憶領域９１ａが記憶する情報は、図４３に示す内容となっている。社員Ａに係る主の固有情報１０２は、（Ａ、甲会社）であり、部屋番号１０８は、「Ｚ１０１」である。これは、社員Ａは、部屋番号１０８が「Ｚ１０１」の部屋２（以下、「部屋Ｚ１０１」という。）において甲会社を担当することを意味する。一方、アルバイト従業員ａに係る従の固有情報１０３は、（ａ、甲会社）であり、部屋番号１０８は、「Ｚ１０１」である。これは、アルバイト従業員ａは、部屋Ｚ１０１において甲会社を担当することを意味する。
【０１５０】
第２の状況では、第１の状況から、最初に社員Ａが部屋Ｚ１０１に入室し、続いて社員Ｂが部屋番号１０８が「Ｚ１０２」の部屋２（以下、「部屋Ｚ１０２」という。）に入室し、続いてアルバイト従業員ａが部屋Ｚ１０１に入室し、続いてアルバイト従業員ｂが部屋Ｚ１０２に入室し、続いてアルバイト従業員ｃが部屋Ｚ１０１に入室している。
つまり、図４４に示す入退室状況情報９４ａでは、部屋Ｚ１０１に係る主従関係（Ａ、甲会社）−（ａ、甲会社）、部屋Ｚ１０２に係る主従関係（Ｂ、乙会社）−（ｂ、乙会社）、部屋Ｚ１０１に係る主従関係（Ａ、甲会社）−（ｃ、甲会社）に係る三個のレコードが登録されている。
この状況では、社員Ａ、Ｂともにそれぞれの部屋２を退室することはできない。これは、部屋Ｚ１０１においては、アルバイト従業員ａ、ｃに対して社員Ａが管理する立場にあり、部屋Ｚ１０２においては、アルバイト従業員ｂに対して社員Ｂが管理する立場にある為である。すなわち、社員Ａまたは社員Ｂのいずれかが退室する際、サーバ８は、図３５の説明にて前述した第２の照合における第２の照合条件を満たさないと判定する。
【０１５１】
第３の状況では、第２の状況から、社員Ｃが部屋Ｚ１０１に入室している。
つまり、図４５に示す入退室状況情報９４ａでは、更に、部屋Ｚ１０１に係る主従関係（Ｃ、甲会社）−（ａ、甲会社）、部屋Ｚ１０１に係る主従関係（Ｃ、甲会社）−（ｃ、甲会社）に係る二個のレコードが新規に登録されている。
この状況では、社員Ａまたは社員Ｃの業務に関する情報を媒介として主従関係にあるアルバイト従業員ａ、ｃが部屋Ｚ１０１に入室しているが、社員Ａと社員Ｃの両方とも部屋Ｚ１０１においてアルバイト従業員ａ、ｃを管理する立場にある為、社員Ａまたは社員Ｃのいずれか一方は退室することが可能である。すなわち、社員Ａまたは社員Ｃのいずれか一方が退室する際、サーバ８は、第２の照合における第２の照合条件を満たすと判定する。
【０１５２】
実施例７では、利用者３の業務に関する情報を媒介として主従関係を定義しており、人の異動や業務状況の変動等に対して柔軟に対応することが可能となる。また、部屋２ごとに主従関係を定義しており、厳密なセキュリティの確保が可能となる。更に、フラッパーゲート７を利用し、アルバイト従業員に対しては、出社時に予定する業務と管理担当の社員の内容を変更することで、速やかな業務遂行とセキュリティの確保とを両立することができる。
【実施例８】
【０１５３】
次に、図４６から図４８までを参照しながら、第２の実施の形態に係る実施例８について説明する。
図４６は、実施例８の第１の状況に係る入退室状況情報９４ａを示す図である。
図４７は、実施例８の第２の状況に係る主従関係情報９５ａを示す図である。
図４８は、実施例８の第３の状況に係る入退室状況情報９４ａを示す図である。
【０１５４】
実施例８では、主ＩＣカード４ａの記憶領域９１および従ＩＣカード４ｂの記憶領域９１ともに主従関係自体の情報は記憶していないものとし、主従関係はｍ対ｎの場合である。また、主の固有情報１０２および従の固有情報１０３の具体的な情報の内容は、所持者を特定する情報のみとしている。
【０１５５】
実施例８は、例えば、ダイレクトメール発送に関する受託業務を行う社員およびアルバイト従業員に関する。Ａ、Ｂ、Ｃは主ＩＣカード４ａの所持者である社員、ａ、ｂ、ｃは従ＩＣカード４ｂの所持者であるアルバイト従業員である。社員Ａ、Ｂ、Ｃおよびアルバイト従業員ａ、ｂ、ｃが担当する企業は、部屋２に入室した後に割り振りを行うものとする。従って、企業の割り振り後に、入退室履歴情報データベース７５の主従関係情報９５ａに主従関係を登録するものとする。
【０１５６】
第１の状況では、社員Ａ、Ｂおよびアルバイト従業員ａ、ｂが部屋Ｚ１０１に入室し、社員Ｃおよびアルバイト従業員ｃが部屋Ｚ１０２に入室している。
つまり、図４６に示す入退室状況情報９４ａでは、部屋番号１０８が「Ｚ１０１」に係る主の固有情報１０２として「Ａ、Ｂ」、および部屋番号１０８が「Ｚ１０２」に係る主の固有情報１０２として「Ｃ」を保持する三個のレコードが登録されている。また、部屋番号１０８が「Ｚ１０１」に係る従の固有情報１０３として「ａ、ｂ」、部屋番号１０８が「Ｚ１０２」に係る従の固有情報１０３として「ｃ」を保持する三個のレコードが登録されている。そして、いずれのレコードも、主従関係にある従の固有情報１０３または主の固有情報１０２を保持していない。これは、ＩＣカード４の記憶領域９１ａに主従関係自体の情報が記憶されていない為である。
尚、実施例８では、主ＩＣカード４ａの記憶部１１に記憶されている主の固有情報１０２、または従ＩＣカード４ｂの記憶部１１に記憶されている従の固有情報１０３の内容によって、主ＩＣカード４ａであるか、または従ＩＣカード４ｂであるかをサーバ８が判定し、従ＩＣカード４ｂの所持者であるアルバイト従業員が単独で部屋２に入室することを防止することとする。
【０１５７】
第２の状況では、社員Ａ、Ｂ、Ｃおよびアルバイト従業員ａ、ｂ、ｃが担当する企業の割り振りが行われて、主従関係が定義されている。
つまり、図４７に示す主従関係情報９５ａでは、部屋Ｚ１０１に係る主従関係（Ａ、甲会社）−（ａ、甲会社）、部屋Ｚ１０１に係る主従関係（Ａ、甲会社）−（ｂ、甲会社）、部屋Ｚ１０１に係る主従関係（Ｂ、乙会社）−（ａ、乙会社）、部屋Ｚ１０２に係る主従関係（Ｃ、丙会社）−（ｃ、丙会社）に係る四個のレコードが登録されている。
この状況では、社員Ａ、Ｂ、Ｃのいずれもが部屋２を退室することはできない。すなわち、社員Ａ、Ｂ、Ｃのいずれかが退室する際、サーバ８は、図４６に示す入退室状況情報９４ａと図４７に示す主従関係情報９５ａとを参照することで、図３５にて前述した第２の照合における第２の照合条件を満たさないと判定する。
【０１５８】
第３の状況では、アルバイト従業員ｂが既に退室している。
つまり、図４８に示す入退室状況情報９４ａでは、従の固有情報１０３がｂであったレコードが削除されている。
この状況では、社員Ａまたは社員Ｂのいずれか一方は部屋Ｚ１０１を退室することができる。これは、社員Ａと社員Ｂの両方とも部屋Ｚ１０１においてアルバイト従業員ａを管理する立場にあり、社員Ａまたは社員Ｂのいずれか一方が退室することが可能である為である。従って、社員Ａまたは社員Ｂのいずれか一方が退室する際、サーバ８は、図４８に示す入退室状況情報９４ａと図４７に示す主従関係情報９５ａとを参照することで、第２の照合における第２の照合条件を満たすと判定する。
【０１５９】
実施例８では、それぞれの部屋２に入室した後に主従関係を定義しており、それぞれの部屋２に入室しないと業務量が分からない場合であっても、柔軟に業務の割り振りを行うことができる。
【０１６０】
以上説明したように、第２の実施の形態によれば、従ＩＣカード４ｂの所持者が部屋２に入室する際には、サーバ８の制御部４３が、照合手段７２によって第１の照合による照合条件を照合する。すなわち、従ＩＣカード４ｂの所持者が部屋２に入室する際に、従ＩＣカード４ｂから読み取る情報と入退室履歴情報データベース７５が保持する情報とを基に、主従関係にある主ＩＣカード４ａの所持者が入室しているかどうかを照合する。これにより、従ＩＣカード４ｂの所持者が入室する際には単独での入室はできず、必ず先に主従関係にある主ＩＣカード４ａの所持者が入室していることをシステム的に担保することができる。
【０１６１】
また、第２の実施の形態によれば、予め定められた主従関係が１対ｎの場合であって、主ＩＣカード４ａの所持者が部屋２を退室する際には、サーバ８の制御部４３が、照合手段７２によって第２の照合による第１の照合条件を照合する。すなわち、主ＩＣカード４ａから読み取る情報と入退室履歴情報データベース７５が保持する情報とを基に、主従関係にある従ＩＣカード４ｂの所持者が全て退室しているかどうかを照合する。これにより、主ＩＣカード４ａの所持者が退室する際には従ＩＣカード４ｂの所持者が全て退室していなければならず、必ず主従関係にある従ＩＣカード４ｂの所持者が単独で部屋２に在室しないことをシステム的に担保することができる。
【０１６２】
また、第２の実施の形態によれば、予め定められた主従関係がｍ対ｎの場合であって、主ＩＣカード４ａの所持者が部屋２を退室する際には、サーバ８の制御部４３が、照合手段７２によって第２の照合による第２の照合条件を照合する。すなわち、第１の照合条件による照合を行い、更に、主従関係にある従ＩＣカード４ｂの所持者が退室していない場合には、退室していない従ＩＣカード４ｂの所持者と主従関係にあり、かつ退室を試みている者と異なる主ＩＣカード４ａの所持者が、入室しているかどうかを照合する。これにより、同一の主従関係にある主ＩＣカード４ａの所持者が複数存在する場合、その中の一人が在室していれば、他の主ＩＣカード４ａの所持者は退室することが可能となり、利便性を向上することができる。すなわち、ある社員が、訪問者やアルバイト従業員等の管理について、他の社員に引継ぎを行うことができる。
【０１６３】
尚、第２の実施の形態では、複数の部屋２が存在する場合であっても、部屋２ごとに主従関係を定義することができるので、厳密なセキュリティの確保が可能となる。また、仮に部屋２ごとに主従関係を定義せず、全ての部屋２に共通の主従関係を定義したい場合は、部屋番号１０８を「ＡＬＬ」（全ての部屋２に該当の主従関係を適用することを意味する。）として主従関係を定義すれば良い。
【０１６４】
以上、添付図面を参照しながら、本発明に係る入退室管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【０１６５】
【図１】入退室管理システム１の概要を示す図
【図２】入退室管理システム１を構成する装置のハードウェア構成を示す図
【図３】入退室管理装置５の機能の概要を示すブロック図
【図４】フラッパーゲート７の機能の概要を示すブロック図
【図５】ＩＣカード４の記憶領域９１のデータの１例を示す図
【図６】入室履歴情報９２の１例を示す図
【図７】退室履歴情報９３の１例を示す図
【図８】入退室状況情報９４の１例を示す図
【図９】主従関係情報９５の１例を示す図
【図１０】利用者３が部屋２に入室する際の入退室管理装置５の動作を示すフローチャート
【図１１】利用者３が部屋２を退室する際の入退室管理装置５の動作を示すフローチャート
【図１２】利用者３がフラッパーゲート７を通過する際のフラッパーゲート７の動作を示すフローチャート
【図１３】実施例１の第１の状況を示す図
【図１４】実施例１の第２の状況を示す図
【図１５】実施例２の第１の状況に係る入退室状況情報９４を示す図
【図１６】実施例２の第２の状況に係る入退室状況情報９４を示す図
【図１７】実施例２の第３の状況に係る入退室状況情報９４を示す図
【図１８】実施例２の第４の状況に係る入退室状況情報９４を示す図
【図１９】実施例３の第１の状況に係るＩＣカード４の記憶領域９１を示す図
【図２０】実施例３の第２の状況に係る入退室状況情報９４を示す図
【図２１】実施例３の第３の状況に係る入退室状況情報９４を示す図
【図２２】実施例４の第１の状況に係る入退室状況情報９４を示す図
【図２３】実施例４の第２の状況に係る主従関係情報９５を示す図
【図２４】実施例４の第３の状況に係る入退室状況情報９４を示す図
【図２５】入退室管理システム１ａの概要を示す図
【図２６】入退室管理システム１ａを構成する装置のハードウェア構成を示す図
【図２７】入退室管理装置５ａの機能の概要を示すブロック図
【図２８】サーバ８の機能の概要を示すブロック図
【図２９】ＩＣカード４の記憶領域９１ａのデータの１例を示す図
【図３０】入室履歴情報９２ａの１例を示す図
【図３１】退室履歴情報９３ａの１例を示す図
【図３２】入退室状況情報９４ａの１例を示す図
【図３３】主従関係情報９５ａの１例を示す図
【図３４】利用者３が部屋２に入室する際の入退室管理装置５ａとサーバ８との動作を示すフローチャート
【図３５】利用者３が部屋２を退室する際の入退室管理装置５ａとサーバ８との動作を示すフローチャート
【図３６】実施例５の第１の状況を示す図
【図３７】実施例５の第２の状況を示す図
【図３８】実施例５の第３の状況を示す図
【図３９】実施例６の第１の状況に係る入退室状況情報９４ａを示す図
【図４０】実施例６の第２の状況に係る入退室状況情報９４ａを示す図
【図４１】実施例６の第３の状況に係る入退室状況情報９４ａを示す図
【図４２】実施例６の第４の状況に係る入退室状況情報９４ａを示す図
【図４３】実施例７の第１の状況に係るＩＣカード４の記憶領域９１ａを示す図
【図４４】実施例７の第２の状況に係る入退室状況情報９４ａを示す図
【図４５】実施例７の第３の状況に係る入退室状況情報９４ａを示す図
【図４６】実施例８の第１の状況に係る入退室状況情報９４ａを示す図
【図４７】実施例８の第２の状況に係る主従関係情報９５ａを示す図
【図４８】実施例８の第３の状況に係る入退室状況情報９４ａを示す図
【符号の説明】
【０１６６】
１、１ａ………入退室管理システム
２………部屋
３………利用者
４………ＩＣカード
４ａ………主ＩＣカード
４ｂ………従ＩＣカード
５、５ａ………入退室管理装置
６………ゲート
７………フラッパーゲート
８………サーバ
９………ネットワーク
５１………ＩＣカード読み取り手段
５２………ＩＣカード認証手段
５３………照合手段
５４………データベース更新手段
５５………ゲート開閉指示手段
５６………入退室履歴情報データベース
５７………情報送信手段
５８………情報受信手段
６１………ＩＣカード読み取り手段
６２………ＩＣカード認証手段
６３………ＩＣカード書き換え手段
６４………ゲート開閉指示手段
７１………情報受信手段
７２………照合手段
７３………データベース更新手段
７４………情報送信手段
７５………入退室履歴情報データベース
９１、９１ａ………ＩＣカード４の記憶領域
９２、９２ａ………入室履歴情報
９３、９３ａ………退室履歴情報
９４、９４ａ………入退室状況情報
９５、９５ａ………主従関係情報
１０１………カードＩＤ
１０２………主の固有情報
１０３………従の固有情報
１０４………入室日時
１０５………退室日時
１０６………主の入退室状況
１０７………従の入退室状況
１０８………部屋番号
【図１】
2008052716.tif 000003
【図２】
2008052716.tif 000004
【図３】
2008052716.tif 000005
【図４】
2008052716.tif 000006
【図５】
2008052716.tif 000007
【図６】
2008052716.tif 000008
【図７】
2008052716.tif 000009
【図８】
2008052716.tif 000010
【図９】
2008052716.tif 000011
【図１０】
2008052716.tif 000012
【図１１】
2008052716.tif 000013
【図１２】
2008052716.tif 000014
【図１３】
2008052716.tif 000015
【図１４】
2008052716.tif 000016
【図１５】
2008052716.tif 000017
【図１６】
2008052716.tif 000018
【図１７】
2008052716.tif 000019
【図１８】
2008052716.tif 000020
【図１９】
2008052716.tif 000021
【図２０】
2008052716.tif 000022
【図２１】
2008052716.tif 000023
【図２２】
2008052716.tif 000024
【図２３】
2008052716.tif 000025
【図２４】
2008052716.tif 000026
【図２５】
2008052716.tif 000027
【図２６】
2008052716.tif 000028
【図２７】
2008052716.tif 000029
【図２８】
2008052716.tif 000030
【図２９】
2008052716.tif 000031
【図３０】
2008052716.tif 000032
【図３１】
2008052716.tif 000033
【図３２】
2008052716.tif 000034
【図３３】
2008052716.tif 000035
【図３４】
2008052716.tif 000036
【図３５】
2008052716.tif 000037
【図３６】
2008052716.tif 000038
【図３７】
2008052716.tif 000039
【図３８】
2008052716.tif 000040
【図３９】
2008052716.tif 000041
【図４０】
2008052716.tif 000042
【図４１】
2008052716.tif 000043
【図４２】
2008052716.tif 000044
【図４３】
2008052716.tif 000045
【図４４】
2008052716.tif 000046
【図４５】
2008052716.tif 000047
【図４６】
2008052716.tif 000048
【図４７】
2008052716.tif 000049
【図４８】
2008052716.tif 000050